(57)【要約】  ワイヤレス通信のための方法、システム、およびデバイスを説明する。説明する技法は、概して、低レイテンシ通信をサポートする改善された基準信号共有技法を提供する。説明する技法によれば、複数の送信時間間隔(TTI)のうちの示されたTTIにおいて復調基準信号(DMRS)を送信(または、受信)するようにUEを構成するシグナリングを、基地局は送信してよく、またユーザ機器(UE)は受信してよく、ここで、DMRSは、複数のTTIのうちの第2のTTIにおいて送信されるデータシンボルの復調のために使用される。様々な例では、基地局またはUEは、(たとえば、送信がアップリンク方向であるのかそれともダウンリンク方向であるのかに応じて、)示されたTTIにおけるデータ送信をスキップすべきであると決定してよい。基地局またはUEは、次いで、示されたTTIにおいてDMRSを、第2のTTIにおいてデータシンボルを送信してよい。
2021503218.tif 000002
【特許請求の範囲】
【請求項１】
ワイヤレス通信のための方法であって、
複数の送信時間間隔(TTI)のうちの示されたTTIにおいて復調基準信号(DMRS)を送信するようにユーザ機器(UE)を構成するシグナリングを、前記UEによって受信するステップであって、前記DMRSが、前記複数のTTIのうちの第2のTTIにおいて送信されるデータシンボルの復調のためのものである、ステップと、
前記示されたTTIにおけるデータ送信をスキップすべきであると決定するステップと、
前記示されたTTIにおいて前記DMRSを、前記第2のTTIにおいて前記データシンボルを送信するステップとを含む、
方法。
【請求項２】
前記示されたTTIにおいて前記DMRSを送信するステップが、
前記示されたTTIの複数のシンボル期間のうちの示されたシンボル期間において前記DMRSを送信するステップと、
前記示されたTTIの前記複数のシンボル期間のうちの残りの1つまたは複数のシンボル期間のうちのいずれにおいても送信すべきでないと決定するステップとを含む、
請求項1に記載の方法。
【請求項３】
前記UEが前記複数のTTI内のどの1つまたは複数のシンボル期間において前記DMRSを送信するように構成されるのか、およびデータシンボルを送信するためのリソースが前記複数のTTI内のどの1つまたは複数のシンボル期間において前記UEに割り振られるのかを識別する、アップリンク送信パターンを示す半永続的スケジューリング(SPS)構成を決定するために、前記シグナリングを処理するステップをさらに含む、
請求項1に記載の方法。
【請求項４】
前記第2のTTIにおいて前記データシンボルを含む複数のデータシンボルを送信するためのリソースが前記UEに割り振られることを識別するために、前記シグナリングを処理するステップをさらに含む、
請求項1に記載の方法。
【請求項５】
前記シグナリングを受信するステップが、
前記複数のTTIにおいて前記UEにリソースを割り振る許可、および前記複数のTTIのうちの前記示されたTTIのみが前記DMRSを含むことになるというインジケータを受信するステップを含む、
請求項1に記載の方法。
【請求項６】
前記示されたTTIが、第1の個数のシンボル期間を備え、前記第2のTTIが、前記第1の個数のシンボル期間とは異なる第2の個数のシンボル期間を備える、
請求項1に記載の方法。
【請求項７】
前記複数のTTIが、連続するTTIである、
請求項1に記載の方法。
【請求項８】
前記複数のTTIの各々が、2シンボルTTIまたは3シンボルTTIのいずれかである、
請求項1に記載の方法。
【請求項９】
ワイヤレス通信のための方法であって、
複数の送信時間間隔(TTI)上にユーザ機器(UE)をスケジュールするシグナリング、および前記複数のTTIのうちの示されたTTIにおける復調基準信号(DMRS)の存在を示すインジケータを送信するステップであって、前記DMRSが、前記複数のTTIのうちの第2のTTIにおいて通信されるデータシンボルの復調のためのものである、ステップと、
前記示されたTTIにおける前記UEへのダウンリンクデータ送信をスキップすべきであると決定するステップと、
前記示されたTTIにおいて前記DMRSを、前記第2のTTIにおいて前記データシンボルを送信するステップとを含む、
方法。
【請求項１０】
前記示されたTTIにおいて前記DMRSを送信するステップが、
前記示されたTTIの複数のシンボル期間のうちの示されたシンボル期間において前記DMRSを送信するステップと、
前記示されたTTIの前記複数のシンボル期間のうちの残りの1つまたは複数のシンボル期間のうちのいずれにおいてもデータを送信すべきでないと決定するステップとを含む、
請求項9に記載の方法。
【請求項１１】
前記複数のTTIのうちの示された第2のTTIにおける前記DMRSの存在を示すように、前記インジケータを生成するステップをさらに含む、
請求項9に記載の方法。
【請求項１２】
TTIのより大きいセット内で前記複数のTTIが反復する周期性を識別する半永続的スケジューリング(SPS)構成を示すように、前記シグナリングを生成するステップをさらに含む、
請求項9に記載の方法。
【請求項１３】
前記示されたTTIが、第1の個数のシンボル期間を備え、前記第2のTTIが、前記第1の個数のシンボル期間とは異なる第2の個数のシンボル期間を備える、
請求項9に記載の方法。
【請求項１４】
前記インジケータを送信するステップが、
ダウンリンク制御情報(DCI)の中で前記インジケータを送信するステップを含む、
請求項9に記載の方法。
【請求項１５】
前記シグナリングを送信するステップが、
無線リソース制御(RRC)シグナリングの中で前記シグナリングを送信するステップを含む、
請求項9に記載の方法。
【請求項１６】
前記複数のTTIが、連続するTTIである、
請求項9に記載の方法。
【請求項１７】
前記複数のTTIの各々が、2シンボルTTIまたは3シンボルTTIのいずれかである、
請求項9に記載の方法。
【請求項１８】
ワイヤレス通信のための装置であって、
複数の送信時間間隔(TTI)のうちの示されたTTIにおいて復調基準信号(DMRS)を送信するように前記装置を構成するシグナリングを受信する手段であって、前記DMRSが、前記複数のTTIのうちの第2のTTIにおいて送信されるデータシンボルの復調のためのものである、手段と、
前記示されたTTIにおけるデータ送信をスキップすべきであると決定する手段と、
前記示されたTTIにおいて前記DMRSを、前記第2のTTIにおいて前記データシンボルを送信する手段とを備える、
装置。
【請求項１９】
前記示されたTTIにおいて前記DMRSを送信する手段が、
前記示されたTTIの複数のシンボル期間のうちの示されたシンボル期間において前記DMRSを送信する手段と、
前記示されたTTIの前記複数のシンボル期間のうちの残りの1つまたは複数のシンボル期間のうちのいずれにおいても送信すべきでないと決定する手段とを備える、
請求項18に記載の装置。
【請求項２０】
前記装置が前記複数のTTI内のどの1つまたは複数のシンボル期間において前記DMRSを送信するように構成されるのか、およびデータシンボルを送信するためのリソースが前記複数のTTI内のどの1つまたは複数のシンボル期間において前記装置に割り振られるのかを識別する、アップリンク送信パターンを示す半永続的スケジューリング(SPS)構成を決定するために、前記シグナリングを処理する手段をさらに備える、
請求項18に記載の装置。
【請求項２１】
前記第2のTTIにおいて前記データシンボルを含む複数のデータシンボルを送信するためのリソースが前記装置に割り振られることを識別するために、前記シグナリングを処理する手段をさらに備える、
請求項18に記載の装置。
【請求項２２】
前記シグナリングを受信する手段が、
前記複数のTTIにおいて前記装置にリソースを割り振る許可、および前記複数のTTIのうちの前記示されたTTIのみが前記DMRSを含むことになるというインジケータを受信する手段を備える、
請求項18に記載の装置。
【請求項２３】
前記示されたTTIが、第1の個数のシンボル期間を備え、前記第2のTTIが、前記第1の個数のシンボル期間とは異なる第2の個数のシンボル期間を備える、
請求項18に記載の装置。
【請求項２４】
前記複数のTTIが、連続するTTIである、
請求項18に記載の装置。
【請求項２５】
前記複数のTTIの各々が、2シンボルTTIまたは3シンボルTTIのいずれかである、
請求項18に記載の装置。
【請求項２６】
ワイヤレス通信のための装置であって、
複数の送信時間間隔(TTI)上にユーザ機器(UE)をスケジュールするシグナリング、および前記複数のTTIのうちの示されたTTIにおける復調基準信号(DMRS)の存在を示すインジケータを送信する手段であって、前記DMRSが、前記複数のTTIのうちの第2のTTIにおいて通信されるデータシンボルの復調のためのものである、手段と、
前記示されたTTIにおける前記UEへのダウンリンクデータ送信をスキップすべきであると決定する手段と、
前記示されたTTIにおいて前記DMRSを、前記第2のTTIにおいて前記データシンボルを送信する手段とを備える、
装置。
【請求項２７】
前記示されたTTIにおいて前記DMRSを送信する手段が、
前記示されたTTIの複数のシンボル期間のうちの示されたシンボル期間において前記DMRSを送信する手段と、
前記示されたTTIの前記複数のシンボル期間のうちの残りの1つまたは複数のシンボル期間のうちのいずれにおいてもデータを送信すべきでないと決定する手段とを備える、
請求項26に記載の装置。
【請求項２８】
前記複数のTTIのうちの示された第2のTTIにおける前記DMRSの存在を示すように、前記インジケータを生成する手段をさらに備える、
請求項26に記載の装置。
【請求項２９】
TTIのより大きいセット内で前記複数のTTIが反復する周期性を識別する半永続的スケジューリング(SPS)構成を示すように、前記シグナリングを生成する手段をさらに備える、
請求項26に記載の装置。
【請求項３０】
前記示されたTTIが、第1の個数のシンボル期間を備え、前記第2のTTIが、前記第1の個数のシンボル期間とは異なる第2の個数のシンボル期間を備える、
請求項26に記載の装置。
【請求項３１】
前記インジケータを送信する手段が、
ダウンリンク制御情報(DCI)の中で前記インジケータを送信する手段を備える、
請求項26に記載の装置。
【請求項３２】
前記シグナリングを送信する手段が、
無線リソース制御(RRC)シグナリングの中で前記シグナリングを送信する手段を備える、
請求項26に記載の装置。
【請求項３３】
前記複数のTTIが、連続するTTIである、
請求項26に記載の装置。
【請求項３４】
前記複数のTTIの各々が、2シンボルTTIまたは3シンボルTTIのいずれかである、
請求項26に記載の装置。
【請求項３５】
ワイヤレス通信のための装置であって、
プロセッサと、
前記プロセッサと電子通信しているメモリと、
前記メモリの中に記憶された命令とを備え、前記命令が、前記装置に、
複数の送信時間間隔(TTI)のうちの示されたTTIにおいて復調基準信号(DMRS)を送信するように前記装置を構成するシグナリングを受信することであって、前記DMRSが、前記複数のTTIのうちの第2のTTIにおいて送信されるデータシンボルの復調のためのものである、ことと、
前記示されたTTIにおけるデータ送信をスキップすべきであると決定することと、
前記示されたTTIにおいて前記DMRSを、前記第2のTTIにおいて前記データシンボルを送信することとを行わせるように、前記プロセッサによって実行可能である、
装置。
【請求項３６】
前記示されたTTIにおいて前記DMRSを送信するための前記命令が、前記装置に、
前記示されたTTIの複数のシンボル期間のうちの示されたシンボル期間において前記DMRSを送信することと、
前記示されたTTIの前記複数のシンボル期間のうちの残りの1つまたは複数のシンボル期間のうちのいずれにおいても送信すべきでないと決定することとを行わせるように、前記プロセッサによって実行可能である、
請求項35に記載の装置。
【請求項３７】
前記命令が、前記装置に、
前記装置が前記複数のTTI内のどの1つまたは複数のシンボル期間において前記DMRSを送信するように構成されるのか、およびデータシンボルを送信するためのリソースが前記複数のTTI内のどの1つまたは複数のシンボル期間において前記装置に割り振られるのかを識別する、アップリンク送信パターンを示す半永続的スケジューリング(SPS)構成を決定するために、前記シグナリングを処理させるように、前記プロセッサによってさらに実行可能である、
請求項35に記載の装置。
【請求項３８】
前記命令が、前記装置に、
前記第2のTTIにおいて前記データシンボルを含む複数のデータシンボルを送信するためのリソースが前記装置に割り振られることを識別するために、前記シグナリングを処理させるように、前記プロセッサによってさらに実行可能である、
請求項35に記載の装置。
【請求項３９】
前記シグナリングを受信するための前記命令が、前記装置に、
前記複数のTTIにおいて前記装置にリソースを割り振る許可、および前記複数のTTIのうちの前記示されたTTIのみが前記DMRSを含むことになるというインジケータを受信させるように、前記プロセッサによって実行可能である、
請求項35に記載の装置。
【請求項４０】
前記示されたTTIが、第1の個数のシンボル期間を備え、前記第2のTTIが、前記第1の個数のシンボル期間とは異なる第2の個数のシンボル期間を備える、
請求項35に記載の装置。
【請求項４１】
前記複数のTTIが、連続するTTIである、
請求項35に記載の装置。
【請求項４２】
前記複数のTTIの各々が、2シンボルTTIまたは3シンボルTTIのいずれかである、
請求項35に記載の装置。
【請求項４３】
ワイヤレス通信のための装置であって、
プロセッサと、
前記プロセッサと電子通信しているメモリと、
前記メモリの中に記憶された命令とを備え、前記命令が、前記装置に、
複数の送信時間間隔(TTI)上にユーザ機器(UE)をスケジュールするシグナリング、および前記複数のTTIのうちの示されたTTIにおける復調基準信号(DMRS)の存在を示すインジケータを送信することであって、前記DMRSが、前記複数のTTIのうちの第2のTTIにおいて通信されるデータシンボルの復調のためのものである、ことと、
前記示されたTTIにおける前記UEへのダウンリンクデータ送信をスキップすべきであると決定することと、
前記示されたTTIにおいて前記DMRSを、前記第2のTTIにおいて前記データシンボルを送信することとを行わせるように、前記プロセッサによって実行可能である、
装置。
【請求項４４】
前記示されたTTIにおいて前記DMRSを送信するための前記命令が、前記装置に、
前記示されたTTIの複数のシンボル期間のうちの示されたシンボル期間において前記DMRSを送信することと、
前記示されたTTIの前記複数のシンボル期間のうちの残りの1つまたは複数のシンボル期間のうちのいずれにおいてもデータを送信すべきでないと決定することとを行わせるように、前記プロセッサによって実行可能である、
請求項43に記載の装置。
【請求項４５】
前記命令が、前記装置に、
前記複数のTTIのうちの示された第2のTTIにおける前記DMRSの存在を示すように、前記インジケータを生成させるように、前記プロセッサによってさらに実行可能である、
請求項43に記載の装置。
【請求項４６】
前記命令が、前記装置に、
TTIのより大きいセット内で前記複数のTTIが反復する周期性を識別する半永続的スケジューリング(SPS)構成を示すように、前記シグナリングを生成させるように、前記プロセッサによってさらに実行可能である、
請求項43に記載の装置。
【請求項４７】
前記示されたTTIが、第1の個数のシンボル期間を備え、前記第2のTTIが、前記第1の個数のシンボル期間とは異なる第2の個数のシンボル期間を備える、
請求項43に記載の装置。
【請求項４８】
前記インジケータを送信するための前記命令が、前記装置に、
ダウンリンク制御情報(DCI)の中で前記インジケータを送信させるように、前記プロセッサによって実行可能である、
請求項43に記載の装置。
【請求項４９】
前記シグナリングを送信するための前記命令が、前記装置に、
無線リソース制御(RRC)シグナリングの中で前記シグナリングを送信させるように、前記プロセッサによって実行可能である、
請求項43に記載の装置。
【請求項５０】
前記複数のTTIが、連続するTTIである、
請求項43に記載の装置。
【請求項５１】
前記複数のTTIの各々が、2シンボルTTIまたは3シンボルTTIのいずれかである、
請求項43に記載の装置。
【発明の詳細な説明】
【技術分野】
【０００１】
相互参照
本特許出願は、本出願の譲受人に譲渡され、本明細書に明確に組み込まれる、2018年11月7日に出願された「DEMODULATION REFERENCE SIGNAL TRANSMISSION」と題するHOSSEINIらによる米国特許出願第16/183,637号、および2017年11月14日に出願された「DEMODULATION REFERENCE SIGNAL TRANSMISSION FOR LOW LATENCY SYSTEMS」と題するHOSSEINIらによる米国仮特許出願第62/586,161号の利益を主張する。
【０００２】
以下のことは、一般に、ワイヤレス通信に関し、より詳細には、低レイテンシシステムのための復調基準信号送信に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例は、ロングタームエボリューション(LTE)システムまたはLTEアドバンスト(LTE-A)システムなどの第4世代(4G)システム、およびニューラジオ(NR:New Radio)システムと呼ばれることがある第5世代(5G)システムを含む。これらのシステムは、符号分割多元接続(CDMA)、時分割多元接続(TDMA)、周波数分割多元接続(FDMA)、直交周波数分割多元接続(OFDMA)、または離散フーリエ変換拡散OFDM(DFT-S-OFDM:discrete Fourier transform-spread-OFDM)などの技術を採用し得る。
【０００４】
ワイヤレス多元接続通信システムは、場合によってはユーザ機器(UE)として知られている複数の通信デバイスのための通信を各々が同時にサポートする、いくつかの基地局またはネットワークアクセスノードを含んでよい。いくつかのワイヤレス通信システム(たとえば、NRシステム、LTEシステムなど)は、短縮通信間隔(たとえば、短縮送信時間間隔(sTTI:shortened transmission time interval)、ミニスロットなど)の使用を通じて低レイテンシサービスをサポートし得る。従来システムでは、短縮通信間隔をサポートする制御シグナリングおよび基準信号送信は、ワイヤレスチャネルを介して通信され得るデータの量を低減させる著しいオーバーヘッドを引き起こすことがある。従来システムは、オーバーヘッドを低減させるために基準信号の共有を行うが、従来の解決策は、低レイテンシ通信をサポートするようには構成されていない。
【発明の概要】
【課題を解決するための手段】
【０００５】
説明する技法は、低レイテンシシステムのための復調基準信号送信をサポートする、改善された方法、システム、デバイス、または装置に関する。概して、説明する技法は、低レイテンシシステムのための改善された基準信号共有技法を提供する。いくつかの例では、復調基準信号(DMRS:demodulation reference signal)共有をサポートするために、所与の送信時間間隔(TTI:transmission time interval)の間に通信されるようにスケジュールされているDMRSは、ユーザ機器または基地局が、送信すべきデータがないときでも、そのTTI内で通信され得る。
【０００６】
いくつかのワイヤレスシステムは、一定の周期性に従う(たとえば、半静的スケジューリング、半永続的スケジューリング(SPS:semi-persistent scheduling)などと呼ばれることがある)リソーススケジューリングをサポートし得る。たとえば、基地局は、(リソースの各セットを個別にスケジュールするのではなく)所与の周期性で出現するアップリンク通信および/またはダウンリンク通信のためのリソースを用いてUEを構成し得る。そのようなスケジューリングは、たとえば、低レイテンシ通信をサポートするシステムのオーバーヘッドを低減させ得る。シグナリングオーバーヘッドは、基準信号共有の使用を通じてさらに低減されてよく、基準信号共有によって、基準信号(たとえば、復調基準信号(DMRS))は、(たとえば、通信期間ごとに送信されるのではなく)複数の短縮通信期間にわたって共有される。しかしながら、少なくともいくつかの場合には、送信デバイス(たとえば、基地局またはUE)は、周期的に出現するリソースのうちのいくつかの中で送信すべき、いかなるデータも有しないことがある。送信が自蔵式でない(たとえば、復調用のDMRSが、同じsTTIの中に含まれない)場合には、送信スキッピングが問題となり得る。本明細書で説明する技法によれば、UEは、周期的に出現するリソース中に依然としてDMRSを送信(または、受信)し得る(ただし、いかなるデータも送信または受信しなくてよい)。DMRSは、次いで、後続の短縮通信期間の中のデータを復調するために、依然として使用され得る。
【０００７】
ワイヤレス通信の方法を説明する。方法は、複数の送信時間間隔(TTI)のうちの示されたTTIにおいてDMRSを送信するようにUEを構成するシグナリングを、UEによって受信することであって、DMRSが、複数のTTIのうちの第2のTTIにおいて送信されるデータシンボルの復調のためのものである、ことと、示されたTTIにおけるデータ送信をスキップすべきであると決定することと、示されたTTIにおいてDMRSを、第2のTTIにおいてデータシンボルを送信することとを含んでよい。
【０００８】
ワイヤレス通信のための装置を説明する。装置は、複数のTTIのうちの示されたTTIにおいてDMRSを送信するようにUEを構成するシグナリングを、UEによって受信する手段であって、DMRSが、複数のTTIのうちの第2のTTIにおいて送信されるデータシンボルの復調のためのものである、手段と、示されたTTIにおけるデータ送信をスキップすべきであると決定する手段と、示されたTTIにおいてDMRSを、第2のTTIにおいてデータシンボルを送信する手段とを含んでよい。
【０００９】
ワイヤレス通信のための別の装置を説明する。装置は、プロセッサと、プロセッサと電子通信しているメモリと、メモリの中に記憶された命令とを含んでよい。命令は、プロセッサに、複数のTTIのうちの示されたTTIにおいてDMRSを送信するようにUEを構成するシグナリングを、UEによって受信することであって、DMRSが、複数のTTIのうちの第2のTTIにおいて送信されるデータシンボルの復調のためのものである、ことと、示されたTTIにおけるデータ送信をスキップすべきであると決定することと、示されたTTIにおいてDMRSを、第2のTTIにおいてデータシンボルを送信することとを行わせるように動作可能であってよい。
【００１０】
ワイヤレス通信のための非一時的コンピュータ可読媒体を説明する。非一時的コンピュータ可読媒体は、プロセッサに、複数のTTIのうちの示されたTTIにおいてDMRSを送信するようにUEを構成するシグナリングを、UEによって受信することであって、DMRSが、複数のTTIのうちの第2のTTIにおいて送信されるデータシンボルの復調のためのものである、ことと、示されたTTIにおけるデータ送信をスキップすべきであると決定することと、示されたTTIにおいてDMRSを、第2のTTIにおいてデータシンボルを送信することとを行わせるように動作可能な命令を含んでよい。
【００１１】
ワイヤレス通信の方法を説明する。方法は、複数のTTI上にUEをスケジュールするシグナリング、および複数のTTIのうちの示されたTTIにおけるDMRSの存在を示すインジケータを送信することであって、DMRSが、複数のTTIのうちの第2のTTIにおいて通信されるデータシンボルの復調のためのものである、ことと、示されたTTIにおけるUEへのダウンリンクデータ送信をスキップすべきであると決定することと、示されたTTIにおいてDMRSを、第2のTTIにおいてデータシンボルを送信することとを含んでよい。
【００１２】
ワイヤレス通信のための装置を説明する。装置は、複数のTTI上にUEをスケジュールするシグナリング、および複数のTTIのうちの示されたTTIにおけるDMRSの存在を示すインジケータを送信する手段であって、DMRSが、複数のTTIのうちの第2のTTIにおいて通信されるデータシンボルの復調のためのものである、手段と、示されたTTIにおけるUEへのダウンリンクデータ送信をスキップすべきであると決定する手段と、示されたTTIにおいてDMRSを、第2のTTIにおいてデータシンボルを送信する手段とを含んでよい。
【００１３】
ワイヤレス通信のための別の装置を説明する。装置は、プロセッサと、プロセッサと電子通信しているメモリと、メモリの中に記憶された命令とを含んでよい。命令は、プロセッサに、複数のTTI上にUEをスケジュールするシグナリング、および複数のTTIのうちの示されたTTIにおけるDMRSの存在を示すインジケータを送信することであって、DMRSが、複数のTTIのうちの第2のTTIにおいて通信されるデータシンボルの復調のためのものである、ことと、示されたTTIにおけるUEへのダウンリンクデータ送信をスキップすべきであると決定することと、示されたTTIにおいてDMRSを、第2のTTIにおいてデータシンボルを送信することとを行わせるように動作可能であってよい。
【００１４】
ワイヤレス通信のための非一時的コンピュータ可読媒体を説明する。非一時的コンピュータ可読媒体は、プロセッサに、複数のTTI上にUEをスケジュールするシグナリング、および複数のTTIのうちの示されたTTIにおけるDMRSの存在を示すインジケータを送信することであって、DMRSが、複数のTTIのうちの第2のTTIにおいて通信されるデータシンボルの復調のためのものである、ことと、示されたTTIにおけるUEへのダウンリンクデータ送信をスキップすべきであると決定することと、示されたTTIにおいてDMRSを、第2のTTIにおいてデータシンボルを送信することとを行わせるように動作可能な命令を含んでよい。
【図面の簡単な説明】
【００１５】
【図１】本開示の態様による、低レイテンシシステムのための復調基準信号送信をサポートするワイヤレス通信システムの一例を示す図である。
【図２】本開示の態様による、低レイテンシシステムのための復調基準信号送信をサポートするワイヤレス通信システムの一例を示す図である。
【図３】本開示の態様による、低レイテンシシステムのための復調基準信号送信をサポートするリソース構成の一例を示す図である。
【図４】本開示の態様による、低レイテンシシステムのための復調基準信号送信をサポートするプロセスフローの一例を示す図である。
【図５】本開示の態様による、低レイテンシシステムのための復調基準信号送信をサポートするプロセスフローの一例を示す図である。
【図６】本開示の態様による、低レイテンシシステムのための復調基準信号送信をサポートするデバイスのブロック図である。
【図７】本開示の態様による、低レイテンシシステムのための復調基準信号送信をサポートするデバイスのブロック図である。
【図８】本開示の態様による、低レイテンシシステムのための復調基準信号送信をサポートするデバイスのブロック図である。
【図９】本開示の態様による、低レイテンシシステムのための復調基準信号送信をサポートするUEを含むシステムのブロック図である。
【図１０】本開示の態様による、低レイテンシシステムのための復調基準信号送信をサポートするデバイスのブロック図である。
【図１１】本開示の態様による、低レイテンシシステムのための復調基準信号送信をサポートするデバイスのブロック図である。
【図１２】本開示の態様による、低レイテンシシステムのための復調基準信号送信をサポートするデバイスのブロック図である。
【図１３】本開示の態様による、低レイテンシシステムのための復調基準信号送信をサポートする基地局を含むシステムのブロック図である。
【図１４】本開示の態様による、低レイテンシシステムのための復調基準信号送信のための方法を示す図である。
【図１５】本開示の態様による、低レイテンシシステムのための復調基準信号送信のための方法を示す図である。
【図１６】本開示の態様による、低レイテンシシステムのための復調基準信号送信のための方法を示す図である。
【図１７】本開示の態様による、低レイテンシシステムのための復調基準信号送信のための方法を示す図である。
【図１８】本開示の態様による、低レイテンシシステムのための復調基準信号送信のための方法を示す図である。
【発明を実施するための形態】
【００１６】
説明する技法は、低レイテンシシステムのための基準信号共有技法をサポートする、改善された方法、システム、デバイス、または装置に関する。概して、説明する技法は、複数の送信時間間隔(TTI)のうちの示されたTTIにおいて復調基準信号(DMRS)を送信(または、受信)するようにUEを構成するシグナリングを提供し、ここで、DMRSは、複数のTTIのうちの第2のTTIにおいて送信されるデータシンボルの復調のために使用される。いくつかの例では、基地局またはUEは、送信がアップリンク方向であるのかそれともダウンリンク方向であるのかに基づいて、示されたTTIにおけるデータ送信をスキップすべきであると決定し得る。場合によっては、基地局またはUEは、次いで、示されたTTIにおいてDMRSを、第2のTTIにおいてデータシンボルを送信し得る。
【００１７】
いくつかのワイヤレス通信システムは、低レイテンシ通信をサポートし得るか、またはさもなければ、シグナリングオーバーヘッドを低減させる技法によって利益を受けることがある(そのことは、システムに対するスループットを高め得るか、または他の利益をもたらし得る)。いくつかの例では、復調基準信号(DMRS)共有をサポートするために、所与の送信時間間隔(TTI)の間に通信されるようにスケジュールされているDMRSは、ユーザ機器または基地局が、送信すべきデータがないときでも、そのTTI内で通信され得る。低レイテンシ通信は、(本開示の態様ではsTTIと呼ばれることがあるが、ミニスロットまたは他のそのような時間間隔も含んでよい)短縮通信期間を提供し得る。短縮通信期間は、より低レイテンシの通信をサポートし得るが、場合によっては、シグナリングオーバーヘッドの増大に関連することがある(そのことは、レイテンシ低減によってもたらされる利点を軽減することがある)。例として、短縮通信期間は、2つのOFDMシンボルだけ継続してよい。(たとえば、自蔵式の送信を行うために)各短縮通信期間の1つのOFDMシンボルをDMRS送信用に使用することは、利用可能なリソースのうちの半分しかデータ送信のために使用されない結果となり得る。そのような懸念に対処するために、いくつかのシステムは、基準信号共有技法をサポートし得、基準信号共有技法によって、第1のsTTI用のDMRSが、第1のsTTIおよび少なくとも第2のsTTIにおけるデータを復調するために使用される。
【００１８】
たとえば、いくつかのそのようなシステムは、複数の短縮通信間隔を横断する情報(たとえば、基準信号)の共有をサポートし得る。例として、ダウンリンク送信の場合、復調基準信号(DMRS)が所与のsTTIの中に含まれるかどうか、または前のsTTIからのDMRSが使用されるべきであるかどうかを示す、基準信号表示フィールドが、所与のsTTIに対するダウンリンク制御情報(DCI:downlink control information)送信の中にあり得る。同様に、アップリンクでは、アップリンク送信パターン(たとえば、所与のsTTI内のデータおよびDMRSシンボルの個数ならびにそれらのロケーション)を示すためのフィールドが、所与のsTTIに対するDCIの中にあり得る。各場合において、受信デバイスは、他のsTTI(または、ミニスロット)の中で受信されたDMRSに少なくとも部分的に基づいて、いくつかのsTTIにおけるデータを復調し得る。すなわち、いくつかのsTTIにおけるデータを復調することは、他のロケーションにおけるDMRSの存在に依拠し得る。ワイヤレス通信システムにおけるオーバーヘッドを低減させるために、sTTI内で基準信号を送信するための効率的な技法が望ましいことがある。したがって、本明細書で説明する改善された技法は、シグナリングオーバーヘッドを効率的に利用する低レイテンシ通信をサポートする。
【００１９】
場合によっては、UEは、(スケジュールされたリソース内のデータシンボルおよび基準シンボルの個数およびロケーションを示してよい)送信パターンに少なくとも部分的に基づいてアップリンク送信を送るかまたはダウンリンク送信を受信するように、スケジュールされてよい。たとえば、送信パターンは、SPSに基づいてよく、またはさもなければ、半静的にUEに示されてもよい(または、DCI送信などの中で示されてもよい)。いくつかのそのような場合には、UEは、リソースが割り振られることがあるが、送信すべきいかなるデータも有しないことがある(または、いかなるデータも受信しないことがある)。追加または代替として、送信デバイスは、割り振られたリソースをデータ送信のために使用すべきかどうかを決定するとき、他の要因(たとえば、優先度がより高い別のデバイスに譲るべきかどうか、干渉が大きいかどうか、チャネル条件が劣悪であるかどうかなど)を考慮してよい。本開示の態様によれば、送信デバイス(たとえば、UEまたは基地局)は、所与のsTTI内でデータが送信されるべきでない条件を識別し得るが、(たとえば、依然としてデータを通信するために使用され得る別のsTTIにおけるデータの復調をサポートするために、基準信号が使用され得るので)依然として所与のsTTI内で基準信号を送信してよい。低レイテンシシステムにおける基準信号共有に対する検討が、以下でさらに説明される。
【００２０】
本開示の態様は、最初にワイヤレス通信システムのコンテキストで説明される。本開示の態様は、次いで、リソース構成およびプロセスフロー図を参照しながら説明される。本開示の態様は、低レイテンシシステムのための復調基準信号送信に関係する装置図、システム図、およびフローチャートによってさらに図示され、またそれらを参照しながら説明される。
【００２１】
図1は、本開示の様々な態様によるワイヤレス通信システム100の一例を示す。ワイヤレス通信システム100は、基地局105、UE115、およびコアネットワーク130を含む。いくつかの例では、ワイヤレス通信システム100は、LTEネットワーク、LTE-Aネットワーク、またはNRネットワークであってよい。場合によっては、ワイヤレス通信システム100は、拡張ブロードバンド通信、超高信頼(たとえば、ミッションクリティカル)通信、低レイテンシ通信、または低コストで低複雑度のデバイスとの通信をサポートし得る。
【００２２】
基地局105は、1つまたは複数の基地局アンテナを介してUE115とワイヤレス通信し得る。本明細書で説明する基地局105は、トランシーバ基地局、無線基地局、アクセスポイント、無線トランシーバ、ノードB、eノードB(eNB)、次世代ノードBもしくはギガノードB(それらのうちのいずれもgNBと呼ばれることがある)、ホームノードB、ホームeノードB、またはいくつかの他の好適な用語を含んでよく、あるいは当業者によってそのように呼ばれることがある。ワイヤレス通信システム100は、異なるタイプの基地局105(たとえば、マクロセル基地局またはスモールセル基地局)を含んでよい。本明細書で説明するUE115は、マクロeNB、スモールセルeNB、gNB、中継基地局などを含む、様々なタイプの基地局105およびネットワーク機器と通信できる場合がある。
【００２３】
各基地局105は、様々なUE115との通信がサポートされる特定の地理的カバレージエリア110に関連し得る。各基地局105は、通信リンク125を介してそれぞれの地理的カバレージエリア110に通信カバレージを提供し得、基地局105とUE115との間の通信リンク125は、1つまたは複数のキャリアを利用し得る。ワイヤレス通信システム100に示す通信リンク125は、UE115から基地局105へのアップリンク送信または基地局105からUE115へのダウンリンク送信を含んでよい。ダウンリンク送信は、順方向リンク送信と呼ばれることもあり、アップリンク送信は、逆方向リンク送信と呼ばれることもある。
【００２４】
基地局105のための地理的カバレージエリア110は、地理的カバレージエリア110の一部分のみを構成するセクタに分割されてよく、各セクタは、セルに関連付けられてよい。たとえば、各基地局105は、マクロセル、スモールセル、ホットスポット、もしくは他のタイプのセル、またはそれらの様々な組合せのための通信カバレージを提供し得る。いくつかの例では、基地局105は、可動であってよく、したがって、移動している地理的カバレージエリア110に通信カバレージを提供し得る。いくつかの例では、異なる技術に関連する異なる地理的カバレージエリア110は、オーバータップすることがあり、異なる技術に関連するオーバーラップする地理的カバレージエリア110は、同じ基地局105によって、または異なる基地局105によって、サポートされ得る。ワイヤレス通信システム100は、たとえば、異なるタイプの基地局105が様々な地理的カバレージエリア110にカバレージを提供する異種LTE/LTE-AネットワークまたはNRネットワークを含んでよい。
【００２５】
「セル」という用語は、(たとえば、キャリアを介した)基地局105との通信のために使用される論理通信エンティティを指し、同じかまたは異なるキャリアを介して動作する隣接セルを区別するための識別子(たとえば、物理セル識別子(PCID:physical cell identifier)、仮想セル識別子(VCID:virtual cell identifier))に関連付けられてよい。いくつかの例では、キャリアは、複数のセルをサポートし得、異なるセルは、異なるタイプのデバイスにアクセスを提供し得る異なるプロトコルタイプ(たとえば、マシンタイプ通信(MTC:machine-type communication)、狭帯域モノのインターネット(NB-IoT:narrowband Internet-of-Things)、拡張モバイルブロードバンド(eMBB:enhanced mobile broadband)、または他のもの)に従って構成され得る。場合によっては、「セル」という用語は、論理エンティティがそれを介して動作する地理的カバレージエリア110の一部分(たとえば、セクタ)を指すことがある。
【００２６】
UE115は、ワイヤレス通信システム100全体にわたって分散されてよく、各UE115は、固定またはモバイルであってよい。UE115は、モバイルデバイス、ワイヤレスデバイス、リモートデバイス、ハンドヘルドデバイス、もしくは加入者デバイス、またはいくつかの他の好適な用語で呼ばれることもあり、ここで、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなどの、パーソナル電子デバイスであってよい。いくつかの例では、UE115はまた、ワイヤレスローカルループ(WLL)局、モノのインターネット(IoT)デバイス、インターネットオブエブリシング(IoE:Internet of Everything)デバイス、またはMTCデバイスなどを指すことがあり、それらは、家電機器、車両、メーターなどの様々な物品の中に実装され得る。
【００２７】
MTCデバイスまたはIoTデバイスなどのいくつかのUE115は、低コストまたは低複雑度のデバイスであってよく、機械間の自動化された通信を(たとえば、マシンツーマシン(M2M:Machine-to-Machine)通信を介して)提供し得る。M2M通信またはMTCは、人間が介在することなく、デバイスが互いにまたは基地局105と通信することを可能にするデータ通信技術を指すことがある。いくつかの例では、M2M通信またはMTCは、センサーまたはメーターを組み込んで情報を測定または獲得し、その情報を利用できる中央サーバまたはアプリケーションプログラムにその情報を中継するか、あるいはプログラムまたはアプリケーションと対話する人間にその情報を提示する、デバイスからの通信を含んでよい。いくつかのUE115は、情報を収集するか、または機械の自動化された挙動を可能にするように、設計され得る。MTCデバイスのための適用例の例は、スマートメータリング、インベントリ監視、水位監視、機器監視、ヘルスケア監視、野生生物監視、天候および地質学的事象監視、フリート管理および追跡、リモートセキュリティ感知、物理アクセス制御、ならびにトランザクションベースのビジネスの課金を含む。
【００２８】
いくつかのUE115は、半二重通信などの、電力消費を低減する動作モード(たとえば、送信または受信を介した単方向通信をサポートするが、送信および受信を同時にはサポートしないモード)を採用するように構成され得る。いくつかの例では、半二重通信は、低減されたピークレートで実行され得る。UE115のための他の電力節約技法は、アクティブな通信に関与していないときに省電力「ディープスリープ」モードに入ること、または(たとえば、狭帯域通信による)限定された帯域幅を介して動作することを含む。場合によっては、UE115は、クリティカルな機能(たとえば、ミッションクリティカルな機能)をサポートするように設計されてよく、ワイヤレス通信システム100は、これらの機能のために超高信頼通信を提供するように構成され得る。
【００２９】
場合によっては、UE115はまた、(たとえば、ピアツーピア(P2P:peer-to-peer)プロトコルまたはデバイス間(D2D:device-to-device)プロトコルを使用して)他のUE115と直接通信できることがある。D2D通信を利用するUE115のグループのうちの1つまたは複数は、基地局105の地理的カバレージエリア110内にあってよい。そのようなグループの中の他のUE115は、基地局105の地理的カバレージエリア110の外側にあってよく、またはさもなければ基地局105からの送信を受信できないことがある。場合によっては、D2D通信を介して通信するUE115のグループは、各UE115がグループの中のすべての他のUE115へ送信する1対多(1:M)システムを利用し得る。いくつかの場合には、基地局105が、D2D通信のためのリソースのスケジューリングを容易にする。他の場合には、D2D通信は、基地局105の関与を伴わずにUE115間で実行される。
【００３０】
基地局105は、コアネットワーク130と、かつ互いに通信し得る。たとえば、基地局105は、バックホールリンク132を通じて(たとえば、S1インターフェースまたは他のインターフェースを介して)コアネットワーク130とインターフェースし得る。基地局105は、バックホールリンク134を介して(たとえば、X2インターフェースまたは他のインターフェースを介して)、直接(たとえば、基地局105間で直接)または間接的に(たとえば、コアネットワーク130を介して)のいずれかで、互いに通信し得る。
【００３１】
コアネットワーク130は、ユーザ認証、アクセス許可、トラッキング、インターネットプロトコル(IP)接続性、および他のアクセス機能、ルーティング機能、またはモビリティ機能を提供し得る。コアネットワーク130は、発展型パケットコア(EPC:evolved packet core)であってよく、発展型パケットコアは、少なくとも1つのモビリティ管理エンティティ(MME:mobility management entity)、少なくとも1つのサービングゲートウェイ(S-GW:serving gateway)、および少なくとも1つのパケットデータネットワーク(PDN:Packet Data Network)ゲートウェイ(P-GW)を含んでよい。MMEは、EPCに関連付けられた基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者IPサービスに接続され得る。事業者IPサービスは、インターネット、イントラネット、IPマルチメディアサブシステム(IMS:IP Multimedia Subsystem)、またはパケット交換(PS:Packet-Switched)ストリーミングサービスへのアクセスを含んでよい。
【００３２】
基地局105などのネットワークデバイスのうちの少なくともいくつかは、アクセスノードコントローラ(ANC:access node controller)の一例であってよいアクセスネットワークエンティティなどの下位構成要素を含んでよい。各アクセスネットワークエンティティは、ラジオヘッド、スマートラジオヘッド、または送信/受信ポイント(TRP:transmission/reception point)と呼ばれることがあるいくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合されてもよい。
【００３３】
ワイヤレス通信システム100は、通常は300MHz〜300GHzの範囲の中の、1つまたは複数の周波数帯域を使用して動作し得る。概して、300MHzから3GHzまでの領域は、波長がほぼ1デシメートル〜1メートルの長さに及ぶので、極超短波(UHF)領域またはデシメートル帯域と呼ばれる。UHF波は、建物および環境特性によって遮断または方向転換されることがある。しかしながら、その波は、屋内に位置するUE115にマクロセルがサービスを提供するのに十分に、構造を貫通し得る。UHF波の送信は、300MHzよりも下のスペクトルの短波(HF)部分または超短波(VHF)部分のより低い周波数およびより長い波を使用する送信と比較して、より小型のアンテナおよびより短い距離(たとえば、100km未満)に関連し得る。
【００３４】
ワイヤレス通信システム100はまた、センチメートル帯域とも呼ばれる、3GHzから30GHzまでの周波数帯域を使用する超高周波(SHF)領域の中で動作し得る。SHF領域は、他のユーザからの干渉を許容できるデバイスによって機会主義的に使用され得る5GHz産業科学医療(ISM)バンドなどの帯域を含む。
【００３５】
ワイヤレス通信システム100はまた、ミリメートル帯域とも呼ばれる、(たとえば、30GHzから300GHzまでの)スペクトルの極高周波(EHF)領域の中で動作し得る。いくつかの例では、ワイヤレス通信システム100は、UE115と基地局105との間のミリ波(mmW)通信をサポートし得、それぞれのデバイスのEHFアンテナは、UHFアンテナよりもさらに小型であってよく密に離間され得る。場合によっては、このことは、UE115内でのアンテナアレイの使用を容易にし得る。しかしながら、EHF送信の伝播は、SHF送信またはUHF送信よりもさらに大きい大気減衰を受けることがあり距離がより短いことがある。本明細書で開示する技法は、1つまたは複数の異なる周波数領域を使用する送信にわたって採用されてよく、これらの周波数領域にわたる帯域の指定される使用は、国または規制団体によって異なることがある。
【００３６】
場合によっては、ワイヤレス通信システム100は、認可無線周波数スペクトル帯域と無認可無線周波数スペクトル帯域の両方を利用し得る。たとえば、ワイヤレス通信システム100は、5GHz ISMバンドなどの無認可帯域の中で、ライセンス支援型アクセス(LAA:License Assisted Access)、LTE無認可(LTE-U:LTE-Unlicensed)無線アクセス技術、またはNR技術を採用し得る。無認可無線周波数スペクトル帯域の中で動作するとき、基地局105およびUE115などのワイヤレスデバイスは、データを送信する前に周波数チャネルがクリアであることを保証するために、リッスンビフォアトーク(LBT:listen-before-talk)プロシージャを採用し得る。場合によっては、無認可帯域の中での動作は、認可帯域の中で動作するCCとともにCA構成に基づいてよい(たとえば、LAA)。無認可スペクトルの中での動作は、ダウンリンク送信、アップリンク送信、ピアツーピア送信、またはこれらの組合せを含んでよい。無認可スペクトルの中での複信は、周波数分割複信(FDD)、時分割複信(TDD)、またはその両方の組合せに基づいてよい。
【００３７】
いくつかの例では、基地局105またはUE115は、複数のアンテナを装備してよく、そうしたアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間の送信方式を使用してよく、ここで、送信デバイスは、複数のアンテナを装備し、受信デバイスは、1つまたは複数のアンテナを装備する。MIMO通信は、マルチパス信号伝播を採用して、空間レイヤを介して複数の信号を送信または受信することによってスペクトル効率を高めてよく、そのことは、空間多重化と呼ばれることがある。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームに関連するビットを搬送し得る。異なる空間レイヤは、チャネル測定および報告のために使用される異なるアンテナポートに関連付けられてよい。MIMO技法は、複数の空間レイヤが同じ受信デバイスへ送信されるシングルユーザMIMO(SU-MIMO)、および複数の空間レイヤが複数のデバイスへ送信されるマルチユーザMIMO(MU-MIMO)を含む。
【００３８】
空間フィルタ処理、指向性送信、または指向性受信と呼ばれることもあるビームフォーミングは、送信デバイスと受信デバイスとの間の空間経路に沿ってアンテナビーム(たとえば、送信ビームまたは受信ビーム)を整形またはステアリングするために、送信デバイスまたは受信デバイス(たとえば、基地局105またはUE115)において使用され得る信号処理技法である。ビームフォーミングは、アンテナアレイに対して特定の配向において伝播する信号が、強め合う干渉に遭遇し、他の信号が、弱め合う干渉に遭遇するように、アンテナアレイのアンテナ素子を介して通信される信号を組み合わせることによって達成され得る。アンテナ素子を介して通信される信号の調整は、送信デバイスまたは受信デバイスが、デバイスに関連するアンテナ素子の各々を介して搬送される信号に、一定の振幅および位相オフセットを適用することを含んでよい。アンテナ素子の各々に関連する調整は、(たとえば、送信デバイスもしくは受信デバイスのアンテナアレイに対して、またはいくつかの他の配向に対して)特定の配向に関連付けられたビームフォーミング重みセットによって規定され得る。
【００３９】
一例では、基地局105は、UE115との指向性通信のためのビームフォーミング動作を行うために、複数のアンテナまたはアンテナアレイを使用し得る。たとえば、いくつかの信号(たとえば、同期信号、基準信号、ビーム選択信号、または他の制御信号)は、異なる方向で基地局105によって複数回送信されてよく、それらは、送信の異なる方向に関連付けられた異なるビームフォーミング重みセットに従って送信されている信号を含んでよい。異なるビーム方向での送信は、基地局105による後続の送信および/または受信のためのビーム方向を(たとえば、基地局105、またはUE115などの受信デバイスによって)識別するために使用され得る。特定の受信デバイスに関連するデータ信号などのいくつかの信号は、単一のビーム方向(たとえば、UE115などの受信デバイスに関連する方向)で、基地局105によって送信され得る。いくつかの例では、単一のビーム方向に沿った送信に関連するビーム方向は、異なるビーム方向で送信された信号に少なくとも部分的に基づいて決定され得る。たとえば、UE115は、異なる方向で基地局105によって送信された信号のうちの1つまたは複数を受信し得、UE115は、最も高い信号品質またはさもなければ許容可能な信号品質を伴って受信した信号の表示を、基地局105に報告し得る。これらの技法は、基地局105によって1つまたは複数の方向で送信される信号を参照しながら説明されるが、UE115は、(たとえば、UE115による後続の送信または受信のためのビーム方向を識別するために)異なる方向で信号を複数回送信するか、または(受信デバイスへデータを送信するために)単一の方向で信号を送信するために、類似の技法を採用し得る。
【００４０】
受信デバイス(たとえば、mmW受信デバイスの一例であってよいUE115)は、同期信号、基準信号、ビーム選択信号、または他の制御信号などの様々な信号を基地局105から受信するとき、複数の受信ビームを試みてよい。たとえば、受信デバイスは、異なるアンテナサブアレイを介して受信することによって、異なるアンテナサブアレイに従って受信信号を処理することによって、アンテナアレイの複数のアンテナ素子において受信される信号に適用される異なる受信ビームフォーミング重みセットに従って受信することによって、またはアンテナアレイの複数のアンテナ素子において受信される信号に適用される異なる受信ビームフォーミング重みセットに従って受信信号を処理することによって、複数の受信方向を試みてよく、それらのいずれも、異なる受信ビームまたは受信方向による「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向による聴取に少なくとも部分的に基づいて決定されたビーム方向(たとえば、複数のビーム方向による聴取に少なくとも部分的に基づいて、最大信号強度、最大信号対雑音比、またはさもなければ許容可能な信号品質を有すると決定されたビーム方向)に位置合わせされ得る。
【００４１】
場合によっては、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイが、アンテナタワーなどのアンテナアセンブリにおいて一緒に置かれてよい。場合によっては、基地局105に関連するアンテナまたはアンテナアレイは、多様な地理的ロケーションに位置し得る。基地局105は、基地局105がUE115との通信のビームフォーミングをサポートするために使用し得るアンテナポートのいくつかの行および列を有するアンテナアレイを有してよい。同様に、UE115は、様々なMIMO動作またはビームフォーミング動作をサポートし得る1つまたは複数のアンテナアレイを有してよい。
【００４２】
場合によっては、ワイヤレス通信システム100は、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、場合によっては、論理チャネルを介して通信するためのパケットセグメント化および再アセンブリを実行し得る。メディアアクセス制御(MAC)レイヤは、優先度処理およびトランスポートチャネルへの論理チャネルの多重化を実行し得る。MACレイヤはまた、MACレイヤにおいて再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは、物理チャネルにマッピングされ得る。
【００４３】
場合によっては、UE115および基地局105は、データの受信に成功する尤度を高めるために、データの再送信をサポートし得る。HARQフィードバックとは、データがワイヤレス通信リンク125を介して正しく受信される尤度を高める1つの技法である。HARQは、(たとえば、巡回冗長検査(CRC)を使用する)誤り検出、前方誤り訂正(FEC)、および再送信(たとえば、自動再送要求(ARQ))の組合せを含んでよい。HARQは、劣悪な無線条件(たとえば、信号対雑音条件)の中でMACレイヤにおけるスループットを改善し得る。いくつかの場合には、ワイヤレスデバイスは、スロットの中の前のシンボルの中で受信されたデータ用の特定のスロットの中でデバイスがHARQフィードバックを提供し得る、同一スロットHARQフィードバックをサポートし得る。他の場合には、デバイスは、後続のスロットの中で、またはいくつかの他の時間間隔に従って、HARQフィードバックを提供し得る。
【００４４】
LTEまたはNRにおける時間間隔は、たとえば、Ts=1/30,720,000秒のサンプリング期間を指すことがある、基本時間単位の倍数で表現され得る。通信リソースの時間間隔は、各々が10ミリ秒(ms)の持続時間を有する無線フレームに従って編成されてよく、ただし、フレーム期間は、Tf=307,200Tsとして表現され得る。無線フレームは、0から1023までに及ぶシステムフレーム番号(SFN:system frame number)によって識別され得る。各フレームは、0から9まで番号付けされた10個のサブフレームを含んでよく、各サブフレームは、1msの持続時間を有してよい。サブフレームは、各々が0.5msの持続時間を有する2つのスロットにさらに分割されてよく、各スロットは、(たとえば、各シンボル期間の先頭に追加されるサイクリックプレフィックスの長さに応じて)6個または7個の変調シンボル期間を含んでよい。サイクリックプレフィックスを除いて、各シンボル期間は、2048個のサンプル期間を含んでよい。いくつかの場合には、サブフレームは、ワイヤレス通信システム100の最小スケジューリング単位であってよく、送信時間間隔(TTI)と呼ばれることがある。他の場合には、ワイヤレス通信システム100の最小スケジューリング単位は、サブフレームよりも短くてよく、または(たとえば、sTTIのバーストの中で、またはsTTIを使用する選択されたコンポーネントキャリアの中で)動的に選択されてもよい。sTTI持続時間の例は、1スロットsTTI、2シンボルsTTI、3シンボルsTTIなどを含む。
【００４５】
基地局105は、UE115が(たとえば、基地局105を通じて)ワイヤレスネットワークにアクセスするために使用し得るシステム情報を送信し得る。UE115はまた、基地局105と同期するためのタイミング情報を受信し得る。(たとえば、セル捕捉のための)同期は、同期ソース(たとえば、基地局105)によって送信される同期信号または同期チャネルを使用して実行され得る。同期信号は、PSSまたはSSSを含んでよい。ワイヤレスネットワークにアクセスすることを試みるUE115は、基地局105からのPSSを検出することによって初期セル探索を実行し得る。PSSは、スロットタイミングまたはシンボルタイミングの同期を可能にし得る。UE115は、次いで、SSSを受信し得る。
【００４６】
SSSは、無線フレーム同期を可能にし得、またセルID値を提供し得、セルID値は、物理レイヤ識別情報値と組み合わせられて、セルを識別する物理セル識別子(PCID)を形成し得る。SSSはまた、複信モード(たとえば、TDDまたはFDD)の検出を可能にし得る。SSSは、他のブロードキャスト情報(たとえば、システム帯域幅)を捕捉するために使用され得る。場合によっては、基地局105は、PBCHの中でUE115に他のブロードキャスト情報を提供し得る。したがって、PBCHは、捕捉のために必要とされる追加のブロードキャスト情報(たとえば、システム帯域幅、無線フレームインデックス/番号)を捕捉するために使用され得る。いくつかの例では、PBCHは、様々な技法に従ってキャリア上で多重化され得る。PBCHおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、PBCHの中で送信される制御情報は、カスケード方式で異なる制御領域の間で(たとえば、共通制御領域または共通探索空間と1つまたは複数のUE固有制御領域またはUE固有探索空間との間で)分散されてよい。
【００４７】
いくつかのワイヤレス通信システムでは、スロットは、1つまたは複数のシンボルを含む複数のミニスロットにさらに分割されてよい。いくつかの事例では、ミニスロットのシンボル、またはミニスロットは、スケジューリングの最小単位であってよい。各シンボルは、たとえば、動作のサブキャリア間隔または周波数帯域に応じて、持続時間が変わることがある。さらに、いくつかのワイヤレス通信システムは、複数のスロットまたはミニスロットが一緒にアグリゲートされ、UE115と基地局105との間の通信のために使用される、スロットアグリゲーションを実施し得る。
【００４８】
「キャリア」という用語は、通信リンク125を介した通信をサポートするための規定された物理レイヤ構造を有する、無線周波数スペクトルリソースのセットを指す。たとえば、通信リンク125のキャリアは、所与の無線アクセス技術のための物理レイヤチャネルに従って動作させられる無線周波数スペクトル帯域の一部分を含んでよい。各物理レイヤチャネルは、ユーザデータ、制御情報、または他のシグナリングを搬送し得る。キャリアは、事前定義された周波数チャネル(たとえば、E-UTRA絶対無線周波数チャネル番号(EARFCN:E-UTRA absolute radio frequency channel number))に関連付けられてよく、UE115による発見のためのチャネルラスタに従って配置され得る。キャリアは、(たとえば、FDDモードでは)ダウンリンクもしくはアップリンクであってよく、または(たとえば、TDDモードでは)ダウンリンク通信およびアップリンク通信を搬送するように構成され得る。いくつかの例では、キャリアを介して送信される信号波形は、(たとえば、OFDMまたはDFT-s-OFDMなどのマルチキャリア変調(MCM:multi-carrier modulation)技法を使用して)複数のサブキャリアから構成され得る。
【００４９】
キャリアの組織構造は、異なる無線アクセス技術(たとえば、LTE、LTE-A、NRなど)に対して異なってよい。たとえば、キャリアを介した通信は、TTIまたはスロットに従って編成されてよく、それらの各々は、ユーザデータ、ならびにユーザデータの復号をサポートするための制御情報またはシグナリングを含んでよい。キャリアはまた、専用の捕捉シグナリング(たとえば、同期信号またはシステム情報など)、およびキャリアに対する動作を協調させる制御シグナリングを含んでよい。いくつかの例では(たとえば、キャリアアグリゲーション構成では)、キャリアはまた、他のキャリアに対する動作を協調させる捕捉シグナリングまたは制御シグナリングを有してよい。
【００５０】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、物理制御チャネルの中で送信される制御情報は、カスケード方式で異なる制御領域の間で(たとえば、共通制御領域または共通探索空間と1つまたは複数のUE固有制御領域またはUE固有探索空間との間で)分散されてよい。
【００５１】
キャリアは、無線周波数スペクトルの特定の帯域幅に関連してよく、いくつかの例では、キャリア帯域幅は、キャリアまたはワイヤレス通信システム100の「システム帯域幅」と呼ばれることがある。たとえば、キャリア帯域幅は、特定の無線アクセス技術のキャリア用のいくつかの所定の帯域幅(たとえば、1.4、3、5、10、15、20、40、または80MHz)のうちの1つであってよい。いくつかの例では、サービスされる各UE115は、キャリア帯域幅の部分または全部を介して動作するために構成され得る。他の例では、いくつかのUE115は、キャリア内の既定の部分または範囲(たとえば、サブキャリアまたはRBのセット)に関連する狭帯域プロトコルタイプを使用する動作のために構成され得る(たとえば、狭帯域プロトコルタイプの「帯域内」展開)。
【００５２】
MCM技法を採用するシステムでは、リソース要素は、1つのシンボル期間(たとえば、1つの変調シンボルの持続時間)および1つのサブキャリアからなってよく、ここで、シンボル期間およびサブキャリア間隔は、逆の関係にある。各リソース要素によって搬送されるビット数は、変調方式(たとえば、変調方式の次数)に依存し得る。したがって、UE115が受信するリソース要素が多いほど、かつ変調方式の次数が高いほど、UE115に対してデータレートが高くなり得る。MIMOシステムでは、ワイヤレス通信リソースとは、無線周波数スペクトルリソース、時間リソース、および空間リソース(たとえば、空間レイヤ)の組合せを指すことがあり、複数の空間レイヤの使用が、UE115との通信のためのデータレートをさらに高め得る。
【００５３】
ワイヤレス通信システム100のデバイス(たとえば、基地局105またはUE115)は、特定のキャリア帯域幅を介した通信をサポートするハードウェア構成を有してよく、またはキャリア帯域幅のセットのうちの1つを介した通信をサポートするように構成可能であり得る。いくつかの例では、ワイヤレス通信システム100は、2つ以上の異なるキャリア帯域幅に関連するキャリアを介した同時通信をサポートできる基地局105および/またはUEを含んでよい。
【００５４】
ワイヤレス通信システム100は、複数のセルまたはキャリア上でのUE115との通信、すなわち、キャリアアグリゲーション(CA:carrier aggregation)またはマルチキャリア動作と呼ばれることがある機能をサポートし得る。UE115は、キャリアアグリゲーション構成に従って、複数のダウンリンクCCおよび1つまたは複数のアップリンクCCを用いて構成され得る。キャリアアグリゲーションは、FDDコンポーネントキャリアとTDDコンポーネントキャリアの両方とともに使用され得る。
【００５５】
場合によっては、ワイヤレス通信システム100は、拡張コンポーネントキャリア(eCC:enhanced component carrier)を利用し得る。eCCは、より広いキャリアもしくは周波数チャネル帯域幅、より短いシンボル持続時間、より短いTTI持続時間、または修正された制御チャネル構成を含む、1つまたは複数の特徴によって特徴づけられ得る。場合によっては、eCCは、(たとえば、複数のサービングセルが準最適または非理想的なバックホールリンクを有するとき)キャリアアグリゲーション構成またはデュアル接続性構成に関連し得る。eCCはまた、(たとえば、2つ以上の事業者がスペクトルを使用することを許容される場合)無認可スペクトルまたは共有スペクトルでの使用のために構成され得る。広いキャリア帯域幅によって特徴づけられるeCCは、全キャリア帯域幅を監視することが可能でないか、またはさもなければ(たとえば、電力を節約するために)限定されたキャリア帯域幅を使用するように構成される、UE115によって利用され得る1つまたは複数のセグメントを含んでよい。
【００５６】
場合によっては、eCCは、他のCCとは異なるシンボル持続時間を利用してよく、そのことは、他のCCのシンボル持続時間と比較して短縮されたシンボル持続時間の使用を含んでよい。より短いシンボル持続時間は、隣接するサブキャリア間の間隔の増大に関連し得る。eCCを利用する、UE115または基地局105などのデバイスは、短縮されたシンボル持続時間(たとえば、16.67マイクロ秒)において広帯域信号を(たとえば、周波数チャネル、または20、40、60、80MHzなどのキャリア帯域幅に従って)送信し得る。eCCの中のTTIは、1つまたは複数のシンボルからなり得る。場合によっては、TTI持続時間(すなわち、TTIにおけるシンボル期間の数)は可変であってよい。
【００５７】
NRシステムなどのワイヤレス通信システムは、特に、認可スペクトル、共有スペクトル、および無認可スペクトル帯域の任意の組合せを利用し得る。eCCシンボル持続時間およびサブキャリア間隔のフレキシビリティにより、複数のスペクトルにわたるeCCの使用が可能になり得る。いくつかの例では、特にリソースの動的な(たとえば、周波数にわたる)垂直共有および(たとえば、時間にわたる)水平共有を通じて、NR共有スペクトルは、スペクトル利用率およびスペクトル効率を高め得る。
【００５８】
本明細書で説明するように、ワイヤレス通信システム100の中の基地局105は、シグナリングオーバーヘッドが低減されて基準信号をUE115へ送信するための効率的な技法をサポートし得る。同様に、ワイヤレス通信システム100内のUE115は、sTTIにおけるデータを復調するために使用されるチャネル推定の確度および信頼性を改善するために、複数のsTTIにおいて受信される基準信号を使用してチャネル推定を実行するための効率的な技法をサポートし得る。類似の技法が、(たとえば、UE115がデータを送信し基地局105がデータを受信する)アップリンク方向において、基地局105およびUE115によって実行され得る。いくつかの態様では、基地局105は、UE115とのダウンリンク通信のために使用されるsTTIのうちのいくつかの中で基準信号を送信し得、UE115は、これらのsTTIおよび他のsTTIにおけるデータを復調するためのチャネル推定を実行するために、これらのsTTIにおける基準信号を使用するように構成され得る。同様に、基地局105は、sTTIにおけるデータを復調するためのチャネル推定を、別のsTTIにおいて受信される基準信号を使用して実行するように構成され得る。いくつかの例では、sTTIは、基準信号を搬送し得るが、データを搬送しないことがある。したがって、送信デバイス(たとえば、UE115または基地局105)は、(たとえば、データがないこと、またはいくつかの他の要因に基づいて)所与のsTTIにおいてデータを送信すべきでないと決定し得るが、依然としてsTTIにおいて基準信号を送信してよい。これらの基準信号は、次いで、後続のsTTIにおけるデータを復調するために使用され得る。
【００５９】
図2は、本開示の様々な態様による、低レイテンシシステムのための復調基準信号送信をサポートするワイヤレス通信システム200の一例を示す。ワイヤレス通信システム200は、基地局105-aおよびUE115-aを含み、それらは、図1を参照しながら説明した対応するデバイスの例であってよい。基地局105-aは、カバレージエリア110-a内でUE115(UE115-aを含む)と通信し得る。ワイヤレス通信システム200は、ワイヤレス通信システム100の態様を実施し得る。たとえば、基地局105-aは、sTTI210中にキャリア205のリソース上でUE115-aと通信し得る。
【００６０】
基地局105-aは、sTTI210の中で、短縮物理ダウンリンク制御チャネル(sPDCCH:shortened physical downlink control channel)の中で制御情報をUE115-aへ送信し得、基地局105-aは、sTTI210の中で、sPDSCHの中でデータをUE115-aへ送信し得る。場合によっては、基地局105-aはまた、UE115-aがsTTI210の中のデータを復調する(たとえば、1つまたは複数のデータシンボルを復調する)ためのチャネル推定を実行することを可能にするために、sTTI210の中でDMRSをUE115-aへ送信し得る。本明細書で説明する技法を使用すると、基地局105-aは、UE115-aとのダウンリンク通信のために使用されるsTTI210のうちのいくつかの中でDMRSを送信し得、UE115-aは、これらのsTTI210および他のsTTI210の中のデータを復調するためのチャネル推定を実行するために、これらのDMRSを使用し得る。
【００６１】
場合によっては、UE115-aは、現在のsTTIにおいて受信されるデータを復調するためのチャネル推定を実行するために、現在のsTTIにおいて受信されるDMRS、現在のsTTIの直前のsTTIにおいて受信されるDMRS、またはその両方を使用するための表示を受信し得る。すなわち、UE115-aは、2というDMRS共有ウィンドウサイズを用いて構成され得る。一例では、UE115-aは、sTTI210-bの中でDMRSを受信することがあり、UE115-aは、sTTI210-cの中でDMRSを受信しないことがある。この例では、UE115-aは、sTTI210-cの中で受信されるデータを復調するためのチャネル推定を実行するために、sTTI210-bの中で受信されるDMRSを使用し得る。別の例では、UE115-aは、sTTI210-bおよびsTTI210-cの中でDMRSを受信し得る。この例では、UE115-aは、sTTI210-bの中で受信されたDMRSと組み合わせて、sTTI210-cの中で受信されたDMRSを使用して、sTTI210-cの中で受信されるデータを復調するためのチャネル推定を実行し得る。類似のDMRS共有が、アップリンク方向において実行され得る。
【００６２】
例として、ダウンリンク方向では、UE115-aは、ダウンリンクSPS構成の一部として、所与の個数の連続するsTTI(または、ミニスロット)のうちの1つのsTTI(または、ミニスロット)の中でしかDMRSを受信しないように(たとえば、RRCシグナリングを介して)構成され得る。ダウンリンクSPSが(たとえば、DCI送信を介して)アクティブ化されると、UE115-aは、示されたsTTI(または、ミニスロット)の中でDMRSを受信することを予想し得る。たとえば、UE115-aは、sTTI210-aがDMRSを含み、sTTI210-bがDMRSを含まず、sTTI210-cがDMRSを含むなどの、パターンを用いて構成され得る。そのような場合、SPSアクティブ化から始めて、UE115-aは、奇数インデックス付きのsTTI210の中でDMRSを受信することを予想し得る。偶数インデックス付きの各sTTI210に対して、復調は、前のsTTI210の中のDMRSの存在に依拠し得る。
【００６３】
別の例として、UE115-aは、複数のsTTI210をスケジュールする(たとえば、ミニスロットのセットをスケジュールする)ダウンリンク許可を受信し得る。許可の一部として、UE115-aは、複数のsTTI210またはミニスロットを介してDMRSの存在の表示を受信し得る。たとえば、UE115-aは、4つのsTTI210をスケジュールするマルチsTTI/ミニスロット許可をsTTI210-aの中で受信し得る。場合によっては、UE115-aはまた、sTTI210-aしかDMRSを含まないという表示を受信し得る。残りの3つのsTTI210は、次いで、sTTI210-aの中のDMRSの存在に依拠し得る。類似の手順が、アップリンク方向において実行され得る。たとえば、UE115-aは、SPS構成の一部として、DMRSシンボルの個数およびロケーションを示すアップリンクパターンを受信し得る。UE115-aは、アップリンクSPS構成によってアクティブ化されているsTTI210中に、送信し始めてよい(たとえば、SPS動作の下では、UE115-aは、複数のsTTI/ミニスロットにわたるアップリンクパターンを用いて構成され得る)。
【００６４】
SPS構成におけるすべてのsTTI210がDMRSを含むとは限らないので、sTTI210のうちの少なくともいくつかの復調は、1つまたは複数の隣接するsTTI210の中のDMRSの存在に依拠し得る。たとえば、UE115-aは、「R」がDMRSシンボルを示し「D」がデータシンボルを示す、2つの連続するsTTIを横断する[R,D]および[D,D]を用いて構成され得る。一例では、UE115-aは、第1のsTTIにおいて第1のアップリンクパターン[D,D|R]を使用して送信し(ここで、Rは、隣接する第2のsTTIにおいて送信されることになる)第2のsTTIにおいて第2のアップリンクパターン[R,D]を使用して送信するようにUE115-aに命令する、許可を受信し得る。この例では、第1のアップリンクパターンおよび第2のアップリンクパターンの中のDMRS Rは両方とも、第2のsTTIにおける同じシンボル期間(たとえば、第1のシンボル期間)を示し、したがって、DMRS Rは、第2のsTTIにおける同じ送信であってよい。UE115-aが、第2のsTTIにおいてデータDを送信すべきでないと決定しても、UE115-aは、依然として第2のsTTIにおいてRを送信する。別の例では、UE115-aは、6つのUL sTTIにわたって広がる所与のパターンを用いて構成され得、UL sTTIのうちのいくつかを復調するためのDMRSは、他のsTTIにおいて送られる(たとえば、DMRS共有が、採用される)。
【００６５】
図3は、本開示の様々な態様による、低レイテンシシステムのための復調基準信号送信をサポートするリソース構成300の一例を示す。リソース構成300は、本明細書で説明するようなUE115または基地局105に適用可能であってよく、ワイヤレス通信システム100およびワイヤレス通信システム200の態様を実施し得る。リソース構成300は、(「0」〜「9」と番号が付けられた)10個のサブフレーム310を備える無線フレーム305を示す。上記で説明したように、各サブフレーム310は、2つのスロット315-aおよび315-bを含んでよく、その各々は、本例では7つのシンボル期間に広がる。追加として、各サブフレーム310は、周波数においてサブキャリアに分割され得る。説明の目的で、リソース構成300は、ブロック335の編成を示し、ここで、各ブロック335は、時間において単一のシンボル期間に、かつ周波数において12本のサブキャリアに広がる。したがって、スロット315-aの最初の行の中の7つのブロック335は、リソースブロックと呼ばれることがある。
【００６６】
様々なリソースパターン330が、sTTI通信をサポートするために所与のサブフレーム310の中で実現され得る。一例では、各リソースパターン330は、4つの2シンボルsTTI325および2つの3シンボルsTTI325を含む。場合によっては、各リソースパターン330の最初のsTTI325(すなわち、リソースパターン330-aに対するsTTI325-aおよびリソースパターン330-bに対するsTTI325-g)は、制御情報を含んでよい。場合によっては、sTTI325-aのサブセット(たとえば、最初のシンボル期間のみ)が、制御情報を含んでよく、残りの2つのシンボル期間が、データ送信のために割り振られてよい。
【００６７】
以下のことの態様は、リソースパターン330-aを参照しながら説明されるが、説明する技法が、リソースパターン330-bに等しく適用され得ることを理解されたい。図2を参照しながら説明したように、DMRSは、場合によっては、連続するsTTI325にわたって共有され得る。たとえば、DMRSが(「R」によって示されるような)sTTI325-aの最初のシンボルの中で送られる場合、UE115は、sTTI325-aからのDMRSを再使用するための表示をsTTI325-bの中で受信し得る。リソースパターン330-aに関して図示した(「R」がDMRSシンボルを示し「D」がデータシンボルを示す)パターンが、説明の目的で含まれており範囲の限定ではないことを理解されたく、他のパターンが考慮される。
【００６８】
上記で説明した様々な例では、(アップリンク送信用の)パターンまたは(ダウンリンクにおける)DMRSの存在/不在がUE115に一度しか示されないことがある(すなわち、表示の間に決定が変化しない)ので、UE115が、所与のsTTIにおいてアップリンク送信を完全にスキップすべきであると決定する(または、たとえば、基地局105が、ダウンリンク送信を完全にスキップすべきであると決定する)場合、(たとえば、UE115または基地局105のいずれかが、DMRSを含むsTTI325を介した送信をスキップすべきであると決定する場合には)DMRS共有は問題となり得る。本開示の態様によれば、DMRS共有が、sTTI325にわたって採用されるとき、UE115または基地局105が、DMRSを含むと考えられるsTTI325(または、ミニスロット)を介したアップリンク送信またはダウンリンク送信をスキップすべきであると決定すると、DMRSは、依然として送られてよい。すなわち、基地局105またはUE115は、データの送信のみをスキップしてよく、依然として所与のsTTI325の中でDMRSを送信してよい。一例として、UE115が、リソースパターン330-aを使用するように構成される(かつ、SPS構成が、最初はsTTI325-cでアクティブ化される)場合、sTTI325-cを介して送られるべきデータがない場合には、UE115は、依然としてsTTI325-cの1番目のシンボルの中でDMRSを送ってよい(ただし、sTTI325-cの2番目のシンボルの中では何も送らなくてよい)。
【００６９】
図4は、本開示の様々な態様による、低レイテンシシステムのための復調基準信号送信をサポートするプロセスフロー400の一例を示す。いくつかの例では、プロセスフロー400は、ワイヤレス通信システム100およびワイヤレス通信システム200の態様を実施し得る。たとえば、プロセスフロー400は、基地局105-bおよびUE115-bを含み、それらの各々は、図1および図2を参照しながら説明した対応するデバイスの一例であってよい。
【００７０】
405において、複数のTTIのうちの示されたTTIにおいてDMRSを送信するようにUE115-bを構成するシグナリングを、基地局105-bが送信してよく(かつ、UE115-bが受信してよく)、ここで、DMRSは、複数のTTIのうちの第2のTTIにおいて送信されるデータシンボルの復調のために使用される。たとえば、シグナリングは、(たとえば、図3を参照しながら説明したように)所与のリソースパターンを用いてUE115-bを構成するRRCシグナリングであってよい。場合によっては、UE115-bは、UE115-bが複数のTTI内のどの1つまたは複数のシンボル期間においてDMRSを送信するように構成されるのか、およびデータシンボルを送信するためのリソースが複数のTTI内のどの1つまたは複数のシンボル期間においてUE115-bに割り振られるのかを識別する、所与のリソースパターンを示すSPS構成を決定するために、シグナリングを処理し得る。
【００７１】
場合によっては、UE115-bは、第2のTTIにおいてデータシンボルを含む複数のデータシンボルを送信するためのリソースがUE115-bに割り振られることを識別するために(たとえば、第2のTTIが複数のデータシンボルを含むことを識別するために)、シグナリングを処理し得る。場合によっては、シグナリングを受信することは、複数のTTIにおいてUE115-bにリソースを割り振る許可(たとえば、複数のTTIをスケジュールするDCI許可)、および複数のTTIのうちの示されたTTIのみがDMRSを含むことになるというインジケータを受信することを含む。場合によっては、UE115-bは、(たとえば、SPSスケジューリングの場合)複数のTTIのうちの開始TTIを識別するアクティブ化識別子を識別するために、シグナリングを処理し得る。
【００７２】
410において、UE115-bは、405において受信されたシグナリングの中で示されたTTIにおけるデータ送信をスキップすべきであると決定し得る。たとえば、データ送信をスキップすべきであるという決定は、送信すべきデータがないこと、劣悪なチャネル条件、大きい干渉などに基づいてよい。
【００７３】
415において、UE115-bは、示されたTTIの中にDMRSを、第2のTTIの中にデータシンボルを備える、アップリンク送信を送信し得る。たとえば、示されたTTIにおいてDMRSを送信することは、示されたTTIの複数のシンボル期間のうちの示されたシンボル期間においてDMRSを送信することと、示されたTTIの複数のシンボル期間のうちの残りの1つまたは複数のシンボル期間のうちのいずれにおいても送信すべきでないと決定することとを含んでよい。データが特定のsTTIにおいて送信されていないときでもDMRSが送信されるので、DMRS共有は、依然として実施され得る。
【００７４】
図5は、本開示の様々な態様による、低レイテンシシステムのための復調基準信号送信をサポートするプロセスフロー500の一例を示す。いくつかの例では、プロセスフロー500は、ワイヤレス通信システム100およびワイヤレス通信システム200の態様を実施し得る。たとえば、プロセスフロー500は、基地局105-cおよびUE115-cを含み、それらの各々は、図1および図2を参照しながら説明した対応するデバイスの一例であってよい。
【００７５】
505において、複数のTTI上にUE115-cをスケジュールするシグナリング、および複数のTTIのうちの示されたTTIにおけるDMRSの存在を示すインジケータを、基地局105-cが送信してよく(かつ、UE115-cが受信してよく)、ここで、DMRSは、複数のTTIのうちの第2のTTIにおいて通信されるデータシンボルの復調のために使用される。場合によっては、基地局105-cは、複数のTTIのうちの少なくとも第2のTTIにおけるDMRSの存在を示すように、インジケータを生成し得る。追加または代替として、基地局105-cは、TTIのより大きいセット内で複数のTTIが反復する周期性を識別するSPS構成を示すように、シグナリングを生成し得る。場合によっては、インジケータは、DCIを介して送信される。いくつかの例では、シグナリングは、RRCを介して送信される。
【００７６】
510において、基地局105-cは、データ送信をスキップすべきであると決定し得る。たとえば、データ送信をスキップすべきであるという決定は、送信すべきデータがないこと、劣悪なチャネル条件、大きい干渉などに基づいてよい。
【００７７】
515において、基地局105-cは、505においてシグナリングの中で示されたTTIにおいて、ダウンリンク送信を送信し得、第2のTTIにおいてデータシンボルを送信し得る。場合によっては、示されたTTIにおいてDMRSを送信することは、示されたTTIの複数のシンボル期間のうちの示されたシンボル期間においてDMRSを送信することと、示されたTTIの複数のシンボル期間のうちの残りの1つまたは複数のシンボル期間のうちのいずれにおいても送信すべきでないと決定することとを含む。
【００７８】
図6は、本開示の態様による、低レイテンシシステムのための復調基準信号送信をサポートするワイヤレスデバイス605のブロック図600を示す。ワイヤレスデバイス605は、本明細書で説明するようなUE115の態様の一例であってよい。ワイヤレスデバイス605は、受信機610、UE通信マネージャ615、および送信機620を含んでよい。ワイヤレスデバイス605はまた、プロセッサを含んでよい。これらの構成要素の各々は、(たとえば、1つまたは複数のバスを介して)互いに通信していてよい。
【００７９】
受信機610は、パケット、ユーザデータ、または様々な情報チャネル(たとえば、制御チャネル、データチャネル、および低レイテンシシステムのための復調基準信号送信に関係する情報など)に関連する制御情報などの情報を受信し得る。情報は、デバイスの他の構成要素に渡されてよい。受信機610は、図9を参照しながら説明するトランシーバ935の態様の一例であってよい。受信機610は、単一のアンテナまたは1組のアンテナを利用し得る。
【００８０】
UE通信マネージャ615は、図9を参照しながら説明するUE通信マネージャ915の態様の一例であってよい。UE通信マネージャ615および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ615および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【００８１】
UE通信マネージャ615および/またはその様々な下位構成要素のうちの少なくともいくつかは、機能の部分が1つまたは複数の物理デバイスによって異なる物理的ロケーションにおいて実装されるように分散されることを含めて、様々な位置において物理的に位置し得る。いくつかの例では、UE通信マネージャ615および/またはその様々な下位構成要素のうちの少なくともいくつかは、本開示の様々な態様による別個の異なる構成要素であり得る。他の例では、UE通信マネージャ615および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【００８２】
UE通信マネージャ615は、TTIのセットの示されたTTIにおいてDMRSを送信するようにUEを構成するシグナリングを受信し得、DMRSは、TTIのセットの第2のTTIにおいて送信されるデータシンボルの復調のためのものである。UE通信マネージャ615は、示されたTTIにおけるデータ送信をスキップすべきであると決定し得る。UE通信マネージャ615は、示されたTTIにおいてDMRSを、第2のTTIにおいてデータシンボルを送信し得る。
【００８３】
送信機620は、デバイスの他の構成要素によって生成された信号を送信し得る。いくつかの例では、送信機620は、トランシーバモジュールの中で受信機610と一緒に置かれてよい。たとえば、送信機620は、図9を参照しながら説明するトランシーバ935の態様の一例であってよい。送信機620は、単一のアンテナまたは1組のアンテナを利用し得る。
【００８４】
図7は、本開示の態様による、低レイテンシシステムのための復調基準信号送信をサポートするワイヤレスデバイス705のブロック図700を示す。ワイヤレスデバイス705は、図6を参照しながら説明したようなワイヤレスデバイス605またはUE115の態様の一例であってよい。ワイヤレスデバイス705は、受信機710、UE通信マネージャ715、および送信機720を含んでよい。ワイヤレスデバイス705はまた、プロセッサを含んでよい。これらの構成要素の各々は、(たとえば、1つまたは複数のバスを介して)互いに通信していてよい。
【００８５】
受信機710は、パケット、ユーザデータ、または様々な情報チャネル(たとえば、制御チャネル、データチャネル、および低レイテンシシステムのための復調基準信号送信に関係する情報など)に関連する制御情報などの情報を受信し得る。情報は、デバイスの他の構成要素に渡されてよい。受信機710は、図9を参照しながら説明するトランシーバ935の態様の一例であってよい。受信機710は、単一のアンテナまたは1組のアンテナを利用し得る。UE通信マネージャ715は、図9を参照しながら説明するUE通信マネージャ915の態様の一例であってよい。UE通信マネージャ715はまた、リソースパターンマネージャ725、データコントローラ730、およびアップリンク送信マネージャ735を含んでよい。
【００８６】
リソースパターンマネージャ725は、TTIのセットの示されたTTIにおいてDMRSを送信するようにUEを構成するシグナリングを受信し得、DMRSは、TTIのセットの第2のTTIにおいて送信されるデータシンボルの復調のためのものである。リソースパターンマネージャ725は、UEがTTIのセット内のどの1つまたは複数のシンボル期間においてDMRSを送信するように構成されるのか、およびデータシンボルを送信するためのリソースがTTIのセット内のどの1つまたは複数のシンボル期間においてUEに割り振られるのかを識別する、アップリンク送信パターンを示すSPS構成を決定するために、シグナリングを処理し得る。リソースパターンマネージャ725は、TTIのセットの開始TTIを識別するアクティブ化識別子を識別するために、シグナリングを処理し得る。場合によっては、シグナリングを受信することは、TTIのセットの中でUEにリソースを割り振る許可、およびTTIのセットの示されたTTIのみがDMRSを含むことになるというインジケータを受信することを含む。場合によっては、示されたTTIは、第1の個数のシンボル期間を含み、第2のTTIは、第1の個数のシンボル期間とは異なる第2の個数のシンボル期間を含む。場合によっては、TTIのセットは、連続するTTIである。場合によっては、TTIのセットの各々は、2シンボルTTIまたは3シンボルTTIのいずれかである。
【００８７】
データコントローラ730は、示されたTTIにおけるデータ送信をスキップすべきであると決定し得、データシンボルを含むデータシンボルのセットを送信するためのリソースが第2のTTIにおいてUEに割り振られることを識別するために、DMRSを送信するようにUEを構成するシグナリングを処理し得る。
【００８８】
アップリンク送信マネージャ735は、示されたTTIにおいてDMRSを、第2のTTIにおいてデータシンボルを送信し得る。アップリンク送信マネージャ735は、示されたTTIのシンボル期間のセットの残りの1つまたは複数のシンボル期間のうちのいずれにおいても送信すべきでないと決定し得る。場合によっては、示されたTTIにおいてDMRSを送信することは、示されたTTIのシンボル期間のセットの示されたシンボル期間においてDMRSを送信することを含む。
【００８９】
送信機720は、デバイスの他の構成要素によって生成された信号を送信し得る。いくつかの例では、送信機720は、トランシーバモジュールの中で受信機710と一緒に置かれてよい。たとえば、送信機720は、図9を参照しながら説明するトランシーバ935の態様の一例であってよい。送信機720は、単一のアンテナまたは1組のアンテナを利用し得る。
【００９０】
図8は、本開示の態様による、低レイテンシシステムのための復調基準信号送信をサポートするUE通信マネージャ815のブロック図800を示す。UE通信マネージャ815は、図6、図7、および図9を参照しながら説明するUE通信マネージャ615、UE通信マネージャ715、またはUE通信マネージャ915の態様の一例であってよい。UE通信マネージャ815は、リソースパターンマネージャ820、データコントローラ825、およびアップリンク送信マネージャ830を含んでよい。これらのモジュールの各々は、直接または間接的に(たとえば、1つまたは複数のバスを介して)互いに通信し得る。
【００９１】
リソースパターンマネージャ820は、TTIのセットの示されたTTIにおいてDMRSを送信するようにUEを構成するシグナリングを、UEによって受信し得、DMRSは、TTIのセットの第2のTTIにおいて送信されるデータシンボルの復調のためのものである。リソースパターンマネージャ820は、UEがTTIのセット内のどの1つまたは複数のシンボル期間においてDMRSを送信するように構成されるのか、およびデータシンボルを送信するためのリソースがTTIのセット内のどの1つまたは複数のシンボル期間においてUEに割り振られるのかを識別する、アップリンク送信パターンを示すSPS構成を決定するために、シグナリングを処理し得る。リソースパターンマネージャ820は、TTIのセットの開始TTIを識別するアクティブ化識別子を識別するために、シグナリングを処理し得る。場合によっては、シグナリングを受信することは、TTIのセットの中でUEにリソースを割り振る許可、およびTTIのセットの示されたTTIのみがDMRSを含むことになるというインジケータを受信することを含む。場合によっては、示されたTTIは、第1の個数のシンボル期間を含み、第2のTTIは、第1の個数のシンボル期間とは異なる第2の個数のシンボル期間を含む。場合によっては、TTIのセットは、連続するTTIである。場合によっては、TTIのセットの各々は、2シンボルTTIまたは3シンボルTTIのいずれかである。
【００９２】
データコントローラ825は、示されたTTIにおけるデータ送信をスキップすべきであると決定し得、データシンボルを含むデータシンボルのセットを送信するためのリソースが第2のTTIにおいてUEに割り振られることを識別するために、シグナリングを処理し得る。
【００９３】
アップリンク送信マネージャ830は、示されたTTIにおいてDMRSを、第2のTTIにおいてデータシンボルを送信し得る。アップリンク送信マネージャ830は、示されたTTIのシンボル期間のセットの残りの1つまたは複数のシンボル期間のうちのいずれにおいても送信すべきでないと決定し得る。場合によっては、示されたTTIにおいてDMRSを送信することは、示されたTTIのシンボル期間のセットの示されたシンボル期間においてDMRSを送信することを含む。
【００９４】
上記で説明した方法、装置、および非一時的コンピュータ可読媒体のいくつかの例では、示されたTTIにおいてDMRSを送信することは、示されたTTIの複数のシンボル期間のうちの示されたシンボル期間においてDMRSを送信することを備える。上記で説明した方法、装置、および非一時的コンピュータ可読媒体のいくつかの例は、示されたTTIの複数のシンボル期間のうちの残りの1つまたは複数のシンボル期間のうちのいずれにおいても送信すべきでないと決定するための、プロセス、機能、手段、または命令をさらに含んでよい。
【００９５】
上記で説明した方法、装置、および非一時的コンピュータ可読媒体のいくつかの例は、UEが複数のTTI内のどの1つまたは複数のシンボル期間においてDMRSを送信するように構成され得るのか、およびデータシンボルを送信するためのリソースが複数のTTI内のどの1つまたは複数のシンボル期間においてUEに割り振られ得るのかを識別する、アップリンク送信パターンを示す半永続的スケジューリング(SPS)構成を決定するために、シグナリングを処理するための、プロセス、機能、手段、または命令をさらに含んでよい。
【００９６】
上記で説明した方法、装置、および非一時的コンピュータ可読媒体のいくつかの例は、第2のTTIにおいてデータシンボルを含む複数のデータシンボルを送信するためのリソースがUEに割り振られ得ることを識別するために、シグナリングを処理するための、プロセス、機能、手段、または命令をさらに含んでよい。
【００９７】
上記で説明した方法、装置、および非一時的コンピュータ可読媒体のいくつかの例では、シグナリングを受信することは、複数のTTIにおいてUEにリソースを割り振る許可、および複数のTTIのうちの示されたTTIのみがDMRSを含むことになり得るというインジケータを受信することを備える。
【００９８】
上記で説明した方法、装置、および非一時的コンピュータ可読媒体のいくつかの例では、示されたTTIは、第1の個数のシンボル期間を備え、第2のTTIは、第1の個数のシンボル期間とは異なる第2の個数のシンボル期間を備える。
【００９９】
上記で説明した方法、装置、および非一時的コンピュータ可読媒体のいくつかの例では、複数のTTIは、連続するTTIであってよい。
【０１００】
上記で説明した方法、装置、および非一時的コンピュータ可読媒体のいくつかの例では、複数のTTIの各々は、2シンボルTTIまたは3シンボルTTIのいずれかであってよい。
【０１０１】
図9は、本開示の態様による、低レイテンシシステムのための復調基準信号送信をサポートするデバイス905を含むシステム900の図を示す。デバイス905は、たとえば、図6および図7を参照しながら上記で説明したような、ワイヤレスデバイス605、ワイヤレスデバイス705、またはUE115の構成要素の一例であってよく、またはそれらを含んでもよい。デバイス905は、UE通信マネージャ915、プロセッサ920、メモリ925、ソフトウェア930、トランシーバ935、アンテナ940、およびI/Oコントローラ945を含む、通信を送信および受信するための構成要素を含む、双方向音声およびデータ通信のための構成要素を含んでよい。これらの構成要素は、1つまたは複数のバス(たとえば、バス910)を介して電子通信していてよい。デバイス905は、1つまたは複数の基地局105とワイヤレス通信し得る。
【０１０２】
プロセッサ920は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ920は、メモリコントローラを使用してメモリアレイを動作させるように構成され得る。他の場合には、メモリコントローラは、プロセッサ920の中に統合されてよい。プロセッサ920は、様々な機能(たとえば、低レイテンシシステムのための復調基準信号送信をサポートする機能またはタスク)を実行するために、メモリの中に記憶されたコンピュータ可読命令を実行するように構成され得る。
【０１０３】
メモリ925は、ランダムアクセスメモリ(RAM)および読取り専用メモリ(ROM)を含んでよい。メモリ925は、実行されたとき、本明細書で説明する様々な機能をプロセッサに実行させる命令を含む、コンピュータ可読コンピュータ実行可能ソフトウェア930を記憶し得る。場合によっては、メモリ925は、特に、周辺構成要素または周辺デバイスとの相互作用などの、基本的なハードウェア動作またはソフトウェア動作を制御し得る基本入出力システム(BIOS)を含んでよい。
【０１０４】
ソフトウェア930は、低レイテンシシステムのための復調基準信号送信をサポートするためのコードを含む、本開示の態様を実施するためのコードを含んでよい。ソフトウェア930は、システムメモリまたは他のメモリなどの非一時的コンピュータ可読媒体の中に記憶され得る。場合によっては、ソフトウェア930は、プロセッサによって直接実行可能でなくてよいが、(たとえば、コンパイルおよび実行されたとき)本明細書で説明する機能をコンピュータに実行させ得る。
【０１０５】
トランシーバ935は、上記で説明したように、1つまたは複数のアンテナ、有線リンク、またはワイヤレスリンクを介して双方向に通信し得る。たとえば、トランシーバ935は、ワイヤレストランシーバを表してよく、別のワイヤレストランシーバと双方向に通信し得る。トランシーバ935はまた、送信のためにパケットを変調するとともに被変調パケットをアンテナに提供するための、またアンテナから受信されたパケットを復調するための、モデムを含んでよい。場合によっては、ワイヤレスデバイスは、単一のアンテナ940を含んでよい。しかしながら、場合によっては、デバイスは、複数のワイヤレス送信を並行して送信または受信することが可能であり得る2つ以上のアンテナ940を有してよい。
【０１０６】
I/Oコントローラ945は、デバイス905のための入力信号および出力信号を管理し得る。I/Oコントローラ945はまた、デバイス905の中に統合されていない周辺機器を管理し得る。場合によっては、I/Oコントローラ945は、外部周辺機器への物理接続またはポートを表してよい。いくつかの場合には、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ945は、モデム、キーボード、マウス、タッチスクリーン、または類似のデバイスを表してよく、またはそれらと相互作用してよい。場合によっては、I/Oコントローラ945は、プロセッサの一部として実装され得る。場合によっては、ユーザは、I/Oコントローラ945を介して、またはI/Oコントローラ945によって制御されるハードウェア構成要素を介して、デバイス905と対話し得る。
【０１０７】
図10は、本開示の態様による、低レイテンシシステムのための復調基準信号送信をサポートするワイヤレスデバイス1005のブロック図1000を示す。ワイヤレスデバイス1005は、本明細書で説明するような基地局105の態様の一例であってよい。ワイヤレスデバイス1005は、受信機1010、基地局通信マネージャ1015、および送信機1020を含んでよい。ワイヤレスデバイス1005はまた、プロセッサを含んでよい。これらの構成要素の各々は、(たとえば、1つまたは複数のバスを介して)互いに通信していてよい。
【０１０８】
受信機1010は、パケット、ユーザデータ、または様々な情報チャネル(たとえば、制御チャネル、データチャネル、および低レイテンシシステムのための復調基準信号送信に関係する情報など)に関連する制御情報などの情報を受信し得る。情報は、デバイスの他の構成要素に渡されてよい。受信機1010は、図13を参照しながら説明するトランシーバ1335の態様の一例であってよい。受信機1010は、単一のアンテナまたは1組のアンテナを利用し得る。
【０１０９】
基地局通信マネージャ1015は、図13を参照しながら説明する基地局通信マネージャ1315の態様の一例であってよい。基地局通信マネージャ1015および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1015および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１１０】
基地局通信マネージャ1015および/またはその様々な下位構成要素のうちの少なくともいくつかは、機能の部分が1つまたは複数の物理デバイスによって異なる物理的ロケーションにおいて実装されるように分散されることを含めて、様々な位置において物理的に位置し得る。いくつかの例では、基地局通信マネージャ1015および/またはその様々な下位構成要素のうちの少なくともいくつかは、本開示の様々な態様による別個の異なる構成要素であり得る。他の例では、基地局通信マネージャ1015および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１１１】
基地局通信マネージャ1015は、TTIのセット上にUEをスケジュールするシグナリング、およびTTIのセットの示されたTTIにおけるDMRSの存在を示すインジケータを送信し得、DMRSは、TTIのセットの第2のTTIにおいて通信されるデータシンボルの復調のためのものである。基地局通信マネージャ1015は、示されたTTIにおけるUEへのダウンリンクデータ送信をスキップすべきであると決定し得る。基地局通信マネージャ1015は、示されたTTIにおいてDMRSを、第2のTTIにおいてデータシンボルを送信し得る。
【０１１２】
送信機1020は、デバイスの他の構成要素によって生成された信号を送信し得る。いくつかの例では、送信機1020は、トランシーバモジュールの中で受信機1010と一緒に置かれてよい。たとえば、送信機1020は、図13を参照しながら説明するトランシーバ1335の態様の一例であってよい。送信機1020は、単一のアンテナまたは1組のアンテナを利用し得る。
【０１１３】
図11は、本開示の態様による、低レイテンシシステムのための復調基準信号送信をサポートするワイヤレスデバイス1105のブロック図1100を示す。ワイヤレスデバイス1105は、図10を参照しながら説明したようなワイヤレスデバイス1005または基地局105の態様の一例であってよい。ワイヤレスデバイス1105は、受信機1110、基地局通信マネージャ1115、および送信機1120を含んでよい。ワイヤレスデバイス1105はまた、プロセッサを含んでよい。これらの構成要素の各々は、(たとえば、1つまたは複数のバスを介して)互いに通信していてよい。
【０１１４】
受信機1110は、パケット、ユーザデータ、または様々な情報チャネル(たとえば、制御チャネル、データチャネル、および低レイテンシシステムのための復調基準信号送信に関係する情報など)に関連する制御情報などの情報を受信し得る。情報は、デバイスの他の構成要素に渡されてよい。受信機1110は、図13を参照しながら説明するトランシーバ1335の態様の一例であってよい。受信機1110は、単一のアンテナまたは1組のアンテナを利用し得る。基地局通信マネージャ1115は、図13を参照しながら説明する基地局通信マネージャ1315の態様の一例であってよい。基地局通信マネージャ1115はまた、リソースパターンコントローラ1125、データマネージャ1130、およびダウンリンク送信マネージャ1135を含んでよい。
【０１１５】
リソースパターンコントローラ1125は、TTIのセット上にUEをスケジュールするシグナリング、およびTTIのセットの示されたTTIにおけるDMRSの存在を示すインジケータを送信し得、DMRSは、TTIのセットの第2のTTIにおいて通信されるデータシンボルの復調のためのものである。リソースパターンコントローラ1125は、TTIのセットの示された第2のTTIにおけるDMRSの存在を示すように、インジケータを生成し得る。リソースパターンコントローラ1125は、TTIのより大きいセット内でTTIのセットが反復する周期性を識別するSPS構成を示すように、シグナリングを生成し得る。場合によっては、示されたTTIは、第1の個数のシンボル期間を含み、第2のTTIは、第1の個数のシンボル期間とは異なる第2の個数のシンボル期間を含む。場合によっては、インジケータを送信することは、DCIの中でインジケータを送信することを含む。場合によっては、シグナリングを送信することは、RRCシグナリングの中でシグナリングを送信することを含む。場合によっては、TTIのセットは、連続するTTIである。場合によっては、TTIのセットの各々は、2シンボルTTIまたは3シンボルTTIのいずれかである。
【０１１６】
データマネージャ1130は、示されたTTIにおけるUEへのダウンリンクデータ送信をスキップすべきであると決定し得る。ダウンリンク送信マネージャ1135は、示されたTTIにおいてDMRSを、第2のTTIにおいてデータシンボルを送信し得る。ダウンリンク送信マネージャ1135は、示されたTTIのシンボル期間のセットの残りの1つまたは複数のシンボル期間のうちのいずれにおいてもデータを送信すべきでないと決定し得る(ただし、たとえば、依然として残りの1つまたは複数のシンボル期間のうちのいくつかの中でDMRSを送信し得る)。すなわち、場合によっては、ダウンリンク送信は、単一のシンボル期間内でのデータとDMRSとの多重化をサポートし得る。(たとえば、送信すべきデータがないか、またはデータを送信すべきでないという決定が別様に行われる)そのような場合、DMRSは、依然としてシンボル期間において送信され得る。場合によっては、示されたTTIにおいてDMRSを送信することは、示されたTTIのシンボル期間のセットの示されたシンボル期間においてDMRSを送信することを含む。
【０１１７】
送信機1120は、デバイスの他の構成要素によって生成された信号を送信し得る。いくつかの例では、送信機1120は、トランシーバモジュールの中で受信機1110と一緒に置かれてよい。たとえば、送信機1120は、図13を参照しながら説明するトランシーバ1335の態様の一例であってよい。送信機1120は、単一のアンテナまたは1組のアンテナを利用し得る。
【０１１８】
図12は、本開示の態様による、低レイテンシシステムのための復調基準信号送信をサポートする基地局通信マネージャ1215のブロック図1200を示す。基地局通信マネージャ1215は、図10、図11、および図13を参照しながら説明する基地局通信マネージャ1315の態様の一例であってよい。基地局通信マネージャ1215は、リソースパターンコントローラ1220、データマネージャ1225、およびダウンリンク送信マネージャ1230を含んでよい。これらのモジュールの各々は、直接または間接的に(たとえば、1つまたは複数のバスを介して)互いに通信し得る。
【０１１９】
リソースパターンコントローラ1220は、TTIのセット上にUEをスケジュールするシグナリング、およびTTIのセットの示されたTTIにおけるDMRSの存在を示すインジケータを送信し得、DMRSは、TTIのセットの第2のTTIにおいて通信されるデータシンボルの復調のためのものである。リソースパターンコントローラ1220は、TTIのセットの示された第2のTTIにおけるDMRSの存在を示すように、インジケータを生成し得る。リソースパターンコントローラ1220は、TTIのより大きいセット内でTTIのセットが反復する周期性を識別するSPS構成を示すように、シグナリングを生成し得る。場合によっては、示されたTTIは、第1の個数のシンボル期間を含み、第2のTTIは、第1の個数のシンボル期間とは異なる第2の個数のシンボル期間を含む。場合によっては、インジケータを送信することは、DCIの中でインジケータを送信することを含む。場合によっては、シグナリングを送信することは、RRCシグナリングの中でシグナリングを送信することを含む。場合によっては、TTIのセットは、連続するTTIである。場合によっては、TTIのセットの各々は、2シンボルTTIまたは3シンボルTTIのいずれかである。
【０１２０】
データマネージャ1225は、示されたTTIにおけるUEへのダウンリンクデータ送信をスキップすべきであると決定し得る。ダウンリンク送信マネージャ1230は、示されたTTIにおいてDMRSを、第2のTTIにおいてデータシンボルを送信し得る。ダウンリンク送信マネージャ1230は、示されたTTIのシンボル期間のセットの残りの1つまたは複数のシンボル期間のうちのいずれにおいてもデータを送信すべきでないと決定し得る。場合によっては、示されたTTIにおいてDMRSを送信することは、示されたTTIのシンボル期間のセットの示されたシンボル期間においてDMRSを送信することを含む。
【０１２１】
上記で説明した方法、装置、および非一時的コンピュータ可読媒体のいくつかの例では、示されたTTIにおいてDMRSを送信することは、示されたTTIの複数のシンボル期間のうちの示されたシンボル期間においてDMRSを送信することを備える。上記で説明した方法、装置、および非一時的コンピュータ可読媒体のいくつかの例は、示されたTTIの複数のシンボル期間のうちの残りの1つまたは複数のシンボル期間のうちのいずれにおいてもデータを送信すべきでないと決定するための、プロセス、機能、手段、または命令をさらに含んでよい。
【０１２２】
上記で説明した方法、装置、および非一時的コンピュータ可読媒体のいくつかの例は、複数のTTIのうちの示された第2のTTIにおけるDMRSの存在を示すように、インジケータを生成するための、プロセス、機能、手段、または命令をさらに含んでよい。
【０１２３】
上記で説明した方法、装置、および非一時的コンピュータ可読媒体のいくつかの例は、TTIのより大きいセット内で複数のTTIが反復する周期性を識別するSPS構成を示すように、シグナリングを生成するための、プロセス、機能、手段、または命令をさらに含んでよい。
【０１２４】
上記で説明した方法、装置、および非一時的コンピュータ可読媒体のいくつかの例では、示されたTTIは、第1の個数のシンボル期間を備え、第2のTTIは、第1の個数のシンボル期間とは異なる第2の個数のシンボル期間を備える。
【０１２５】
上記で説明した方法、装置、および非一時的コンピュータ可読媒体のいくつかの例では、インジケータを送信することは、DCIの中でインジケータを送信することを備える。
【０１２６】
上記で説明した方法、装置、および非一時的コンピュータ可読媒体のいくつかの例では、シグナリングを送信することは、無線リソース制御(RRC)シグナリングの中でシグナリングを送信することを備える。
【０１２７】
上記で説明した方法、装置、および非一時的コンピュータ可読媒体のいくつかの例では、複数のTTIは、連続するTTIであってよい。
【０１２８】
上記で説明した方法、装置、および非一時的コンピュータ可読媒体のいくつかの例では、複数のTTIの各々は、2シンボルTTIまたは3シンボルTTIのいずれかであってよい。
【０１２９】
図13は、本開示の態様による、低レイテンシシステムのための復調基準信号送信をサポートするデバイス1305を含むシステム1300の図を示す。デバイス1305は、たとえば、図1を参照しながら上記で説明したような、基地局105の構成要素の一例であってよく、またはそれを含んでもよい。デバイス1305は、基地局通信マネージャ1315、プロセッサ1320、メモリ1325、ソフトウェア1330、トランシーバ1335、アンテナ1340、ネットワーク通信マネージャ1345、および局間通信マネージャ1350を含む、通信を送信および受信するための構成要素を含む、双方向音声およびデータ通信のための構成要素を含んでよい。これらの構成要素は、1つまたは複数のバス(たとえば、バス1310)を介して電子通信していてよい。デバイス1305は、1つまたは複数のUE115とワイヤレス通信し得る。
【０１３０】
プロセッサ1320は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1320は、メモリコントローラを使用してメモリアレイを動作させるように構成され得る。他の場合には、メモリコントローラは、プロセッサ1320の中に統合されてよい。プロセッサ1320は、様々な機能(たとえば、低レイテンシシステムのための復調基準信号送信をサポートする機能またはタスク)を実行するために、メモリの中に記憶されたコンピュータ可読命令を実行するように構成され得る。
【０１３１】
メモリ1325は、RAMおよびROMを含んでよい。メモリ1325は、実行されたとき、本明細書で説明する様々な機能をプロセッサに実行させる命令を含む、コンピュータ可読コンピュータ実行可能ソフトウェア1330を記憶し得る。場合によっては、メモリ1325は、特に、周辺構成要素または周辺デバイスとの相互作用などの、基本的なハードウェア動作またはソフトウェア動作を制御し得るBIOSを含んでよい。
【０１３２】
ソフトウェア1330は、低レイテンシシステムのための復調基準信号送信をサポートするためのコードを含む、本開示の態様を実施するためのコードを含んでよい。ソフトウェア1330は、システムメモリまたは他のメモリなどの非一時的コンピュータ可読媒体の中に記憶され得る。場合によっては、ソフトウェア1330は、プロセッサによって直接実行可能でなくてよいが、(たとえば、コンパイルおよび実行されたとき)本明細書で説明する機能をコンピュータに実行させ得る。
【０１３３】
トランシーバ1335は、上記で説明したように、1つまたは複数のアンテナ、有線リンク、またはワイヤレスリンクを介して双方向に通信し得る。たとえば、トランシーバ1335は、ワイヤレストランシーバを表してよく、別のワイヤレストランシーバと双方向に通信し得る。トランシーバ1335はまた、送信のためにパケットを変調するとともに被変調パケットをアンテナに提供するための、またアンテナから受信されたパケットを復調するための、モデムを含んでよい。場合によっては、ワイヤレスデバイスは、単一のアンテナ1340を含んでよい。しかしながら、場合によっては、デバイスは、複数のワイヤレス送信を並行して送信または受信することが可能であり得る2つ以上のアンテナ1340を有してよい。
【０１３４】
ネットワーク通信マネージャ1345は、(たとえば、1つまたは複数の有線バックホールリンクを介した)コアネットワークとの通信を管理し得る。たとえば、ネットワーク通信マネージャ1345は、1つまたは複数のUE115などのクライアントデバイスのためのデータ通信の転送を管理し得る。
【０１３５】
局間通信マネージャ1350は、他の基地局105との通信を管理し得、他の基地局105と協働してUE115との通信を制御するためのコントローラまたはスケジューラを含んでよい。たとえば、局間通信マネージャ1350は、ビームフォーミングまたはジョイント送信などの様々な干渉緩和技法のために、UE115への送信に対するスケジューリングを協調させ得る。いくつかの例では、局間通信マネージャ1350は、基地局105の間で通信を行うために、ロングタームエボリューション(LTE)/LTE-Aワイヤレス通信ネットワーク技術内のX2インターフェースを提供し得る。
【０１３６】
図14は、本開示の態様による、低レイテンシシステムのための復調基準信号送信のための方法1400を示すフローチャートを示す。方法1400の動作は、本明細書で説明するようなUE115またはその構成要素によって実施され得る。たとえば、方法1400の動作は、図6〜図9を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１３７】
1405において、UE115は、複数のTTIのうちの示されたTTIにおいてDMRSを送信するようにUEを構成するシグナリングを受信し得、DMRSは、複数のTTIのうちの第2のTTIにおいて送信されるデータシンボルの復調のためのものである。1405の動作は、本明細書で説明する方法に従って実行され得る。いくつかの例では、1405の動作の態様は、図6〜図9を参照しながら説明したようなリソースパターンマネージャによって実行され得る。
【０１３８】
1410において、UE115は、示されたTTIにおけるデータ送信をスキップすべきであると決定し得る。1410の動作は、本明細書で説明する方法に従って実行され得る。いくつかの例では、1410の動作の態様は、図6〜図9を参照しながら説明したようなデータコントローラによって実行され得る。
【０１３９】
1415において、UE115は、示されたTTIにおいてDMRSを、第2のTTIにおいてデータシンボルを送信し得る。1415の動作は、本明細書で説明する方法に従って実行され得る。いくつかの例では、1415の動作の態様は、図6〜図9を参照しながら説明したようなアップリンク送信マネージャによって実行され得る。
【０１４０】
図15は、本開示の態様による、低レイテンシシステムのための復調基準信号送信のための方法1500を示すフローチャートを示す。方法1500の動作は、本明細書で説明するようなUE115またはその構成要素によって実施され得る。たとえば、方法1500の動作は、図6〜図9を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１４１】
1505において、UE115は、複数のTTIのうちの示されたTTIにおいてDMRSを送信するようにUEを構成するシグナリングを受信し得、DMRSは、複数のTTIのうちの第2のTTIにおいて送信されるデータシンボルの復調のためのものである。1505の動作は、本明細書で説明する方法に従って実行され得る。いくつかの例では、1505の動作の態様は、図6〜図9を参照しながら説明したようなリソースパターンマネージャによって実行され得る。
【０１４２】
1510において、UE115は、UEが複数のTTI内のどの1つまたは複数のシンボル期間においてDMRSを送信するように構成されるのか、およびデータシンボルを送信するためのリソースが複数のTTI内のどの1つまたは複数のシンボル期間においてUEに割り振られるのかを識別する、アップリンク送信パターンを示すSPS構成を決定するために、シグナリングを処理し得る。1510の動作は、本明細書で説明する方法に従って実行され得る。いくつかの例では、1510の動作の態様は、図6〜図9を参照しながら説明したようなリソースパターンマネージャによって実行され得る。
【０１４３】
1515において、UE115は、示されたTTIにおけるデータ送信をスキップすべきであると決定し得る。1515の動作は、本明細書で説明する方法に従って実行され得る。いくつかの例では、1515の動作の態様は、図6〜図9を参照しながら説明したようなデータコントローラによって実行され得る。
【０１４４】
1520において、UE115は、示されたTTIにおいてDMRSを、第2のTTIにおいてデータシンボルを送信し得る。1520の動作は、本明細書で説明する方法に従って実行され得る。いくつかの例では、1520の動作の態様は、図6〜図9を参照しながら説明したようなアップリンク送信マネージャによって実行され得る。
【０１４５】
図16は、本開示の態様による、低レイテンシシステムのための復調基準信号送信のための方法1600を示すフローチャートを示す。方法1600の動作は、本明細書で説明するような基地局105またはその構成要素によって実施され得る。たとえば、方法1600の動作は、図10〜図13を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、以下で説明する機能の態様を、専用ハードウェアを使用して実行し得る。
【０１４６】
1605において、基地局105は、複数のTTI上にUEをスケジュールするシグナリング、および複数のTTIのうちの示されたTTIにおけるDMRSの存在を示すインジケータを送信し得、DMRSは、複数のTTIのうちの第2のTTIにおいて通信されるデータシンボルの復調のためのものである。1605の動作は、本明細書で説明する方法に従って実行され得る。いくつかの例では、1605の動作の態様は、図10〜図13を参照しながら説明したようなリソースパターンコントローラによって実行され得る。
【０１４７】
1610において、基地局105は、示されたTTIにおけるUEへのダウンリンクデータ送信をスキップすべきであると決定し得る。1610の動作は、本明細書で説明する方法に従って実行され得る。いくつかの例では、1610の動作の態様は、図10〜図13を参照しながら説明したようなデータマネージャによって実行され得る。
【０１４８】
1615において、基地局105は、示されたTTIにおいてDMRSを、第2のTTIにおいてデータシンボルを送信し得る。1615の動作は、本明細書で説明する方法に従って実行され得る。いくつかの例では、1615の動作の態様は、図10〜図13を参照しながら説明したようなダウンリンク送信マネージャによって実行され得る。
【０１４９】
図17は、本開示の態様による、低レイテンシシステムのための復調基準信号送信のための方法1700を示すフローチャートを示す。方法1700の動作は、本明細書で説明するような基地局105またはその構成要素によって実施され得る。たとえば、方法1700の動作は、図10〜図13を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、以下で説明する機能の態様を、専用ハードウェアを使用して実行し得る。
【０１５０】
1705において、基地局105は、複数のTTI上にUEをスケジュールするシグナリング、および複数のTTIのうちの示されたTTIにおけるDMRSの存在を示すインジケータを送信し得、DMRSは、複数のTTIのうちの第2のTTIにおいて通信されるデータシンボルの復調のためのものである。1705の動作は、本明細書で説明する方法に従って実行され得る。いくつかの例では、1705の動作の態様は、図10〜図13を参照しながら説明したようなリソースパターンコントローラによって実行され得る。
【０１５１】
1710において、基地局105は、示されたTTIにおけるUEへのダウンリンクデータ送信をスキップすべきであると決定し得る。1710の動作は、本明細書で説明する方法に従って実行され得る。いくつかの例では、1710の動作の態様は、図10〜図13を参照しながら説明したようなデータマネージャによって実行され得る。
【０１５２】
1715において、基地局105は、示されたTTIにおいてDMRSを、第2のTTIにおいてデータシンボルを送信し得る。場合によっては、示されたTTIにおいてDMRSを送信することは、示されたTTIの複数のシンボル期間のうちの示されたシンボル期間においてDMRSを送信することを含む。1715の動作は、本明細書で説明する方法に従って実行され得る。いくつかの例では、1715の動作の態様は、図10〜図13を参照しながら説明したようなダウンリンク送信マネージャによって実行され得る。
【０１５３】
1720において、基地局105は、示されたTTIの複数のシンボル期間のうちの残りの1つまたは複数のシンボル期間のうちのいずれにおいてもデータを送信すべきでないと決定し得る。1720の動作は、本明細書で説明する方法に従って実行され得る。いくつかの例では、1720の動作の態様は、図10〜図13を参照しながら説明したようなダウンリンク送信マネージャによって実行され得る。
【０１５４】
図18は、本開示の態様による、低レイテンシシステムのための復調基準信号送信のための方法1800を示すフローチャートを示す。方法1800の動作は、本明細書で説明するような基地局105またはその構成要素によって実施され得る。たとえば、方法1800の動作は、図10〜図13を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、以下で説明する機能の態様を、専用ハードウェアを使用して実行し得る。
【０１５５】
1805において、基地局105は、TTIのより大きいセット内で複数のTTIが反復する周期性を識別するSPS構成を示すように、シグナリングを生成し得る。1805の動作は、本明細書で説明する方法に従って実行され得る。いくつかの例では、1805の動作の態様は、図10〜図13を参照しながら説明したようなリソースパターンコントローラによって実行され得る。
【０１５６】
1810において、基地局105は、複数のTTI上にUEをスケジュールするシグナリング、および複数のTTIのうちの示されたTTIにおけるDMRSの存在を示すインジケータを送信し得、DMRSは、複数のTTIのうちの第2のTTIにおいて通信されるデータシンボルの復調のためのものである。1810の動作は、本明細書で説明する方法に従って実行され得る。いくつかの例では、1810の動作の態様は、図10〜図13を参照しながら説明したようなリソースパターンコントローラによって実行され得る。
【０１５７】
1815において、基地局105は、示されたTTIにおけるUEへのダウンリンクデータ送信をスキップすべきであると決定し得る。1815の動作は、本明細書で説明する方法に従って実行され得る。いくつかの例では、1815の動作の態様は、図10〜図13を参照しながら説明したようなデータマネージャによって実行され得る。
【０１５８】
1820において、基地局105は、示されたTTIにおいてDMRSを、第2のTTIにおいてデータシンボルを送信し得る。1820の動作は、本明細書で説明する方法に従って実行され得る。いくつかの例では、1820の動作の態様は、図10〜図13を参照しながら説明したようなダウンリンク送信マネージャによって実行され得る。
【０１５９】
上記で説明した方法が、可能な実装形態を説明すること、動作およびステップが、再構成または別様に修正され得ること、ならびに他の実装形態が可能であることに留意されたい。さらに、方法のうちの2つ以上からの態様が、組み合わせられてよい。
【０１６０】
本明細書で説明した技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形形態を含む。TDMAシステムは、モバイル通信用グローバルシステム(GSM)などの無線技術を実装し得る。
【０１６１】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサル移動電気通信システム(UMTS)の一部である。LTEおよびLTE-Aは、E-UTRAを使用するUMTSのリリースである。UTRA、E-UTRA、UMTS、LTE、LTE-A、NR、およびGSMは、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、上述のシステムおよび無線技術、ならびに他のシステムおよび無線技術のために使用され得る。LTEまたはNRシステムの態様が、例として説明されることがあり、LTEまたはNR用語が、説明の大部分において使用されることがあるが、本明細書で説明した技法は、LTEまたはNR適用例以外に適用可能である。
【０１６２】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられてよく、スモールセルは、マクロセルと同じかまたはマクロセルとは異なる(たとえば、認可、無認可など)周波数帯域において動作し得る。スモールセルは、様々な例によれば、ピコセル、フェムトセル、およびマイクロセルを含んでよい。ピコセルは、たとえば、小さい地理的エリアをカバーしてよく、ネットワークプロバイダのサービスに加入しているUE115による無制限アクセスを可能にし得る。フェムトセルも、小さい地理的エリア(たとえば、自宅)をカバーしてよく、フェムトセルとの関連付けを有するUE115(たとえば、限定加入者グループ(CSG:closed subscriber group)の中のUE115、自宅の中のユーザ用のUE115など)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセルをサポートし得、1つまたは複数のコンポーネントキャリアを使用する通信もサポートし得る。
【０１６３】
本明細書で説明した1つまたは複数のワイヤレス通信システム100は、同期動作または非同期動作をサポートし得る。同期動作の場合、基地局105は、類似のフレームタイミングを有してよく、異なる基地局105からの送信は、時間的にほぼ位置合わせされ得る。非同期動作の場合、基地局105は、異なるフレームタイミングを有することがあり、異なる基地局105からの送信は、時間的に位置合わせされないことがある。本明細書で説明した技法は、同期動作または非同期動作のいずれにも使用され得る。
【０１６４】
本明細書で説明した情報および信号は、多種多様な技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１６５】
本明細書の本開示に関して説明した様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明した機能を実行するように設計されたそれらの任意の組合せを用いて実装または実行され得る。汎用プロセッサは、マイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。
【０１６６】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態が、本開示および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置において物理的に位置し得る。
【０１６７】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気記憶デバイス、あるいは命令またはデータ構造の形態の所望のプログラムコード手段を搬送または記憶するために使用され得るとともに、汎用コンピュータもしくは専用コンピュータまたは汎用プロセッサもしくは専用プロセッサによってアクセスされ得る、任意の他の非一時的媒体を備えてよい。また、いかなる接続も、コンピュータ可読媒体と適切に呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ここで、ディスク(disk)は、通常、データを磁気的に再生し、ディスク(disc)は、レーザーを用いてデータを光学的に再生する。上記の組合せも、コンピュータ可読媒体の範囲内に含まれる。
【０１６８】
特許請求の範囲内を含めて本明細書で使用する項目のリスト(たとえば、「のうちの少なくとも1つ」または「のうちの1つまたは複数」などの句で終わる項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような、包括的リストを示す。また、本明細書で使用する「に基づいて」という句は、条件の閉集合への参照と解釈されないものとする。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同じように解釈されるものとする。
【０１６９】
添付の図では、類似の構成要素または特徴は、同じ参照ラベルを有してよい。さらに、同じタイプの様々な構成要素は、参照ラベルの後に、ダッシュと、類似の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する類似の構成要素のうちのいずれにも適用可能である。
【０１７０】
添付の図面に関して本明細書に記載される説明は、例示的な構成を説明しており、実装され得るかまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。発明を実施するための形態は、説明した技法の理解をもたらすための具体的な詳細を含む。しかしながら、これらの技法は、これらの具体的な詳細なしに実践され得る。いくつかの事例では、説明した例の概念を不明瞭にすることを回避するために、よく知られている構造およびデバイスが、ブロック図の形式で示される。
【０１７１】
本明細書での説明は、当業者が本開示を作成または使用することを可能にするために与えられる。本開示の様々な修正は、当業者には容易に明らかとなり、本明細書で定義される一般原理は、本開示の範囲から逸脱することなく他の変形形態に適用され得る。したがって、本開示は、本明細書で説明した例および設計に限定されず、本明細書で開示する原理および新規の特徴に合致する最も広い範囲を与えられるべきである。
【符号の説明】
【０１７２】
100  ワイヤレス通信システム
105  基地局
105-a、105-b、105-c  基地局
110  地理的カバレージエリア
110-a  カバレージエリア
115  ユーザ機器(UE)
115-a、115-b、115-c  UE
125  通信リンク
130  コアネットワーク
132、134  バックホールリンク
200  ワイヤレス通信システム
205  キャリア
210、210-a、210-b、210-c  sTTI
300  リソース構成
305  無線フレーム
310  サブフレーム
315-a、315-b  スロット
325、325-a、325-b、325-c、325-g  sTTI
330、330-a、330-b  リソースパターン
335  ブロック
400  プロセスフロー
500  プロセスフロー
600  ブロック図
605  ワイヤレスデバイス
610  受信機
615  UE通信マネージャ
620  送信機
700  ブロック図
705  ワイヤレスデバイス
710  受信機
715  UE通信マネージャ
720  送信機
725  リソースパターンマネージャ
730  データコントローラ
735  アップリンク送信マネージャ
800  ブロック図
815  UE通信マネージャ
820  リソースパターンマネージャ
825  データコントローラ
830  アップリンク送信マネージャ
900  システム
905  デバイス
910  バス
915  UE通信マネージャ
920  プロセッサ
925  メモリ
930  ソフトウェア
935  トランシーバ
940  アンテナ
945  I/Oコントローラ
1000  ブロック図
1005  ワイヤレスデバイス
1010  受信機
1015  基地局通信マネージャ
1020  送信機
1100  ブロック図
1105  ワイヤレスデバイス
1110  受信機
1115  基地局通信マネージャ
1120  送信機
1125  リソースパターンコントローラ
1130  データマネージャ
1135  ダウンリンク送信マネージャ
1200  ブロック図
1215  基地局通信マネージャ
1220  リソースパターンコントローラ
1225  データマネージャ
1230  ダウンリンク送信マネージャ
1300  システム
1305  デバイス
1310  バス
1315  基地局通信マネージャ
1320  プロセッサ
1325  メモリ
1330  ソフトウェア
1335  トランシーバ
1340  アンテナ
1345  ネットワーク通信マネージャ
1350  局間通信マネージャ
1400  方法
1500  方法
1600  方法
1700  方法
1800  方法
【図１】
2021503218.tif 000003
【図２】
2021503218.tif 000004
【図３】
2021503218.tif 000005
【図４】
2021503218.tif 000006
【図５】
2021503218.tif 000007
【図６】
2021503218.tif 000008
【図７】
2021503218.tif 000009
【図８】
2021503218.tif 000010
【図９】
2021503218.tif 000011
【図１０】
2021503218.tif 000012
【図１１】
2021503218.tif 000013
【図１２】
2021503218.tif 000014
【図１３】
2021503218.tif 000015
【図１４】
2021503218.tif 000016
【図１５】
2021503218.tif 000017
【図１６】
2021503218.tif 000018
【図１７】
2021503218.tif 000019
【図１８】
2021503218.tif 000020
【国際調査報告】
2021503218.tif 000021
2021503218.tif 000022